(57)【要約】  再生装置であるＢＤプレーヤ（１３）は、複数の表示装置であるＴＶ（１１）及びプロジェクター（１２）それぞれのコンテンツを表示する優先順位を示す優先度を、通信ネットワークを通じてＴＶ（１１）及びプロジェクター（１２）それぞれから取得し、ＴＶ（１１）及びプロジェクター（１２）のうち、最も高い優先度を保持している表示装置を選択する選択部である制御コマンド処理部（１３ｂ）と、制御コマンド処理部（１３ｂ）で選択された表示装置に対して、コンテンツを送信するコンテンツ送信部（１３ｃ）とを備える。
2011070720.tif 000002
【特許請求の範囲】
【請求項１】
通信ネットワークを介して接続されている複数の表示装置のうちのいずれかに対して、コンテンツを送信する再生装置であって、
前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択部と、
前記選択部で選択された表示装置に対して、前記コンテンツを送信するコンテンツ送信部とを備える
再生装置。
【請求項２】
前記複数の表示装置それぞれは、当該表示装置の取り得る複数の動作状態のそれぞれに対応付けて、複数の優先度を保持しており、
前記選択部は、前記複数の表示装置それぞれの現在の動作状態に対応付けられた優先度のみを取得する
請求項１に記載の再生装置。
【請求項３】
前記選択部は、選択した表示装置の動作状態が変更したことを検出したタイミングで、再度、前記複数の表示装置それぞれの現在の動作状態に対応付けられた優先度を取得し、前記複数の表示装置のうち、最も高い優先度を保持している表示装置を新たに選択する
請求項２に記載の再生装置。
【請求項４】
前記選択部は、直前に選択されていた表示装置を除く他の表示装置のうち、最も高い優先度を保持している表示装置を新たに選択する
請求項３に記載の再生装置。
【請求項５】
前記選択部は、さらに、選択した表示装置に対して、当該表示装置の電源状態をオン状態にするための電源オン要求コマンドを送信し、且つ当該表示装置との間でコネクションを確立する処理を実行し、
前記コンテンツ送信部は、確立したコネクションを通じて前記コンテンツを送信する
請求項１〜４のいずれか１項に記載の再生装置。
【請求項６】
前記選択部は、さらに、選択した表示装置に対して、現在の電源状態を確認するための電源状態確認コマンドを送信し、前記電源状態確認コマンドの応答として受信した電源状態通知コマンドに、当該表示装置の現在の電源状態がオフ状態であることを示す値が設定されている場合に、前記電源オン要求コマンドを送信する
請求項５に記載の再生装置。
【請求項７】
前記選択部は、さらに、選択した表示装置に対して、現在の電源状態を確認するための電源状態確認コマンドを送信し、前記電源状態確認コマンドの応答として受信した電源状態通知コマンドに、当該表示装置の現在の電源状態がオン状態であることを示す値が設定されていることを確認した後に、前記コネクションを確立する処理を開始する
請求項５又は６に記載の再生装置。
【請求項８】
前記選択部は、該再生装置の電源状態がオン状態となったタイミング、該再生装置で再生するコンテンツをユーザに選択させるタイミング、又は該再生装置が前記コンテンツの再生を開始したタイミングのいずれかで、前記複数の表示装置のうち、最も高い優先度を保持している表示装置を選択する処理を実行する
請求項１〜７のいずれか１項に記載の再生装置。
【請求項９】
前記通信ネットワークは、ＷｉｒｅｌｅｓｓＨＤ（Ｈｉｇｈ  Ｄｅｆｉｎｉｔｉｏｎ）であり、
前記選択部は、ＬＲＰ（Ｌｏｗ−Ｒａｔｅ  Ｐｈｙｓｉｃａｌ  ｌａｙｅｒ）を通じて前記優先度を取得し、
前記コンテンツ送信部は、ＨＲＰ（Ｈｉｇｈ−Ｒａｔｅ  Ｐｈｙｓｉｃａｌ  ｌａｙｅｒ）を通じてコンテンツを送信する
請求項１〜８のいずれか１項に記載の再生装置。
【請求項１０】
前記複数の表示装置それぞれは、当該表示装置の取り得る複数の動作状態のそれぞれに対応付けて、複数の優先度を保持しており、
前記選択部は、前記複数の表示装置それぞれから、当該表示装置が保持している前記複数の優先度と、当該表示装置の現在の動作状態とを取得し、取得した前記複数の表示装置のうち、現在の動作状態に対応付けられた優先度が最も高い表示装置を選択する
請求項１に記載の再生装置。
【請求項１１】
通信ネットワークを介して再生装置に接続されている複数の表示装置のうちの一の表示装置であって、前記再生装置から受信したコンテンツを表示する表示装置であって、
前記再生装置から受信したコンテンツを表示する優先順位であって、前記複数の表示装置のうちの該表示装置の優先順位を示す優先度を保持する優先度保持部と、
前記再生装置からの要求に応じて、前記優先度保持部に保持されている優先度を、前記通信ネットワークを通じて前記再生装置に通知する通知部と、
前記再生装置から受信したコンテンツを表示する表示部とを備える
表示装置。
【請求項１２】
前記優先度保持部は、該表示装置の複数の電源状態それぞれに対応付けられた複数の優先度を保持しており、
オン状態に対応付けられる優先度は、オフ状態に対応付けられる優先度より高い
請求項１１に記載の表示装置。
【請求項１３】
再生装置と、通信ネットワークを介して前記再生装置に接続されている複数の表示装置とを備え、前記再生装置から前記通信ネットワークを通じて送信されたコンテンツを前記複数の表示装置のうちのいずれかで表示するＡＶネットワークシステムであって、
前記再生装置は、
前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択部と、
前記選択部で選択された表示装置に対して、前記コンテンツを送信するコンテンツ再生部とを備え、
前記表示装置は、
前記再生装置から受信したコンテンツを表示する優先順位であって、前記複数の表示装置のうちの該表示装置の優先順位を示す優先度を保持する優先度保持部と、
前記再生装置からの要求に応じて、前記優先度保持部に保持されている優先度を、前記通信ネットワークを通じて前記再生装置に通知する通知部と、
前記再生装置から受信したコンテンツを表示する表示部とを備える
ＡＶネットワークシステム。
【請求項１４】
通信ネットワークを介して接続されている複数の表示装置のうちのいずれかに対して、コンテンツを送信する再生方法であって、
前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択ステップと、
前記選択ステップで選択された表示装置に対して、前記コンテンツを送信するコンテンツ送信ステップとを含む
再生方法。
【請求項１５】
コンピュータに、通信ネットワークを介して接続されている複数の表示装置のうちのいずれかに対して、コンテンツを送信させるプログラムであって、
前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択ステップと、
前記選択ステップで選択された表示装置に対して、前記コンテンツを送信するコンテンツ送信ステップとを、コンピュータに実行させる
プログラム。
【請求項１６】
通信ネットワークを介して接続されている複数の表示装置のうちのいずれかに対して、コンテンツを送信する集積回路であって、
前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択部と、
前記選択部で選択された表示装置に対して、前記コンテンツを送信するコンテンツ送信部とを備える
集積回路。
【発明の詳細な説明】
【技術分野】
【０００１】
本発明は、再生装置、特に、通信ネットワークによって接続された複数の表示装置のいずれかに対してコンテンツを送信する再生装置に関するものである。
【背景技術】
【０００２】
近年、ＡＶ（Ａｕｄｉｏ  ａｎｄ  Ｖｉｓｕａｌ）機器の高画質化および高音質化が進み、一般家庭においても、ＢＤ（Ｂｌｕ−ｒａｙ  Ｄｉｓｃ）プレーヤやＳＴＢ（Ｓｅｔ  Ｔｏｐ  Ｂｏｘ）などが普及し、いわゆるＨＤ（Ｈｉｇｈ  Ｄｅｆｉｎｉｔｉｏｎ）映像を楽しむことができるようになってきた。【０００３】
また、ネットワークやＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などの普及に伴い、複数のＡＶ機器が互いに連携した動作を行うことで、様々な付加機能を提供するいわゆるリンク機能が普及してきている。【０００４】
このリンク機能の中には、例えば、ＢＤプレーヤがコンテンツの再生を開始したときに、自動的にテレビやＡＶアンプの電源状態がオン状態になり、テレビやＡＶアンプの入力がＢＤプレーヤ側に切り替わる。これにより、いちいちテレビやＡＶアンプの操作をしなくても、簡単にＢＤプレーヤが再生しているコンテンツを視聴できる機能がある。一般的に、こうした機能はワンタッチプレイと呼ばれている。【０００５】
このワンタッチプレイなどのリンク機能を実現するために、非特許文献１に開示されているＨＤＭＩ規格では、ＣＥＣ（Ｃｏｎｓｕｍｅｒ  Ｅｌｅｃｔｒｏｎｉｃｓ  Ｃｏｎｔｒｏｌ）という機器制御用のプロトコルが規定されている。【０００６】
ここで、図１０および図１１を用いて、従来のＨＤＭＩで接続されたＡＶネットワークシステムにおけるワンタッチプレイの動作の一例について説明する。なお、図１０は、従来の一般的なＡＶネットワークシステムの構成の一例を示す図である。図１１は、従来の一般的なＡＶネットワークシステムにおけるＢＤプレーヤの再生開始時のＣＥＣコマンドシーケンスの一例を示す図である。【０００７】
図１０において、ＴＶ９１は、２個のＨＤＭＩ入力（ＨＤＭＩ入力１、ＨＤＭＩ入力２）を有しており、ＴＶ９１のＨＤＭＩ入力１とＢＤプレーヤ９２とがＨＤＭＩケーブル９４により接続され、ＴＶ９１のＨＤＭＩ入力２とＳＴＢ９３とがＨＤＭＩケーブル９５により接続されている。【０００８】
再生装置（ここでは、ＢＤプレーヤ９２およびＳＴＢ９３）を変更する場合には、ユーザは、通常はＴＶ９１の入力を手動で切り替える必要があった。しかしながら、各機器がＣＥＣに対応していれば、ＣＥＣコマンドを用いることで、自動的に入力切替を実施することができる。【０００９】
例えば、ＢＤプレーヤ９２がコンテンツの再生を開始すると、図１１に示すように、まずＢＤプレーヤ９２は、ＴＶ９１に対して、＜Ｔｅｘｔ  Ｖｉｅｗ  Ｏｎ＞コマンドを送信する。ＴＶ９１は、ＢＤプレーヤ９２から＜Ｔｅｘｔ  Ｖｉｅｗ  Ｏｎ＞コマンドを受信すると、電源状態がオフ状態であればオン状態に切り替える。【００１０】
次に、ＢＤプレーヤ９２は、ＨＤＭＩで接続されている全機器に向けて＜Ａｃｔｉｖｅ  Ｓｏｕｒｃｅ＞コマンドを送信する。ＴＶ９１は、＜Ａｃｔｉｖｅ  Ｓｏｕｒｃｅ＞コマンドを受信すると、＜Ａｃｔｉｖｅ  Ｓｏｕｒｃｅ＞コマンドの送信元であるＢＤプレーヤ９２が接続されているＨＤＭＩ入力１に切り替える。このように動作させることにより、ユーザが手動でＴＶ９１の入力切替を実施しなくても、ＢＤプレーヤ９２が再生するコンテンツを、ＴＶ９１で視聴することができる。【００１１】
また、ＳＴＢ９３が出力するコンテンツを視聴したい場合は、ＳＴＢ９３が図１１におけるＢＤプレーヤ９２と同様の動作を実行することで、ユーザが手動でＴＶ９１の入力切替を実施しなくても、ＴＶ９１でＳＴＢ９３が出力するコンテンツを視聴することができる。【００１２】
以上のようにして、機器制御用のプロトコルであるＣＥＣコマンドを用いることで、ワンタッチプレイを実現することができる。【００１３】
一方、特許文献１においては、ＨＤＭＩのような有線通信インタフェースの代わりに、無線通信インタフェースでＴＶやＢＤプレーヤを接続したネットワークにおいて、ワンタッチプレイを実現するための技術が開示されている。【００１４】
次に、図１２〜図１５を用いて、無線通信インタフェースで接続されたＡＶネットワークシステムにおけるワンタッチプレイの動作について説明する。なお、図１２は、従来の無線通信インタフェースを用いた一般的なＡＶネットワークシステムの構成を示す図である。また、図１３は、従来の無線通信インタフェースを用いた一般的なＡＶネットワークシステムにおけるＢＤプレーヤの再生開始時の動作シーケンスの一例を示す図である。また、図１４は、従来の無線通信インタフェースを用いた２台の表示装置が存在する場合のＡＶネットワークシステムの構成を示す図である。また、図１５は、従来の無線通信インタフェースを用いた２台の表示装置が存在する場合のＡＶネットワークシステムにおいて、プロジェクターでコンテンツを視聴する場合のＢＤプレーヤの再生開始時の動作シーケンスの一例を示す図である。【００１５】
図１２において、ＴＶ１１１は、無線入力部Ｃを有しており、ＢＤプレーヤ１１２の無線出力部Ａ、もしくは、ＳＴＢ１１３の無線出力部Ｂのいずれかと接続して、通信を行うことができる。【００１６】
次に、図１３を用いて、ＢＤプレーヤ１１２がコンテンツの再生を開始したときのワンタッチプレイ動作について説明する。【００１７】
図１３において、ＢＤプレーヤ１１２がコンテンツの再生を開始すると、まず、ＢＤプレーヤ１１２は、ＴＶ１１１に対し、ＬＲＰ（Ｌｏｗ−Ｒａｔｅ  Ｐｈｙｓｉｃａｌ  ｌａｙｅｒ）を通じて電源オン要求コマンドを送信する。【００１８】
ＴＶ１１１は、ＢＤプレーヤ１１２からＬＲＰを通じて電源オン要求コマンドを受信すると、その時の電源状態がオン状態であればそのままオン状態を維持し、オフ状態であればオン状態に切り替える。【００１９】
次に、ＢＤプレーヤ１１２は、ＴＶ１１１に対し、ＨＲＰ（Ｈｉｇｈ−Ｒａｔｅ  Ｐｈｙｓｉｃａｌ  ｌａｙｅｒ）のコネクション確立処理を実施する。コネクション確立処理としては、一般的には、映像、音声およびデータの送信機器（この場合、ＢＤプレーヤ１１２）と受信機器（この場合、ＴＶ１１１）の確定や、無線通信の帯域確保などが含まれる。【００２０】
ＴＶ１１１は、ＢＤプレーヤ１１２との間でＨＲＰのコネクションが確立されると、無線入力部Ｃを無線出力部Ａ（ＢＤプレーヤ１１２）側に切り替える。これにより、ユーザは、手動でＴＶ１１１の入力切替を実施しなくても、ＢＤプレーヤ１１２で再生されるコンテンツを、ＴＶ１１１で視聴することができる。【００２１】
ＢＤプレーヤ１１２で再生されるコンテンツを、ＴＶ１１１で視聴するのをやめる場合には、ＴＶ１１１もしくはＢＤプレーヤ１１２のいずれかが、ＨＲＰのコネクション切断処理を実施する。このコネクション切断処理としては、無線通信の帯域解放などが含まれる。【００２２】
一方、ＳＴＢ１１３から出力されるコンテンツを視聴したい場合には、ＳＴＢ１１３が図１３に示すＢＤプレーヤ１１２と同様の動作を実行することで、ユーザが手動でＴＶ１１１の入力切替を実施しなくても、ＳＴＢ１１３が出力するコンテンツをＴＶ１１１で視聴することができる。【００２３】
以上のようにして、無線通信インタフェースで接続されたＡＶ機器において、ワンタッチプレイを実現することができる。【００２４】
また、無線通信インタフェースの中には、図１４に示すように、複数の表示装置（ここでは、ＴＶ１１１とプロジェクター１１４）が同時にネットワーク上に存在できるものがある。【００２５】
このような場合、ＢＤプレーヤ１１２は、図１３に示す動作シーケンスに基づきＴＶ１１１に対するワンタッチプレイを実施することもでき、また、図１５に示す動作シーケンスに基づきプロジェクター１１４に対するワンタッチプレイを実施することもできる。【００２６】
なお、図１５におけるプロジェクター１１４の動作は、図１３におけるＴＶ１１１の動作と同様であるので、ここでは説明を省略する。
【先行技術文献】
【特許文献】
【００２７】
【特許文献１】特開２００８−２５２９２９号公報
【非特許文献】
【００２８】
【非特許文献１】ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ）
【発明の概要】
【発明が解決しようとする課題】
【００２９】
しかしながら、図１４に示すように、複数の表示装置が存在するＡＶネットワークシステムにおいて、例えば、ＢＤプレーヤ１１２がコンテンツの再生を開始した場合、ＢＤプレーヤ１１２が意図した表示装置に対してワンタッチプレイを実施できるのか、若しくはできないのかが分からないという課題があった。例えば、ＢＤプレーヤ１１２が常にＴＶ１１１に対してワンタッチプレイを実施するとした場合、ユーザは、ＴＶ１１１でコンテンツを視聴したい場合は問題ないが、プロジェクター１１４でコンテンツ視聴したい場合にも、勝手にＴＶ１１１の電源状態がオン状態になり、ＢＤプレーヤ１１２から送信されるコンテンツは、プロジェクター１１４ではなくＴＶ１１１に表示されることになる。【００３０】
本発明は、このような課題に鑑みてなされたものであり、再生装置と複数の表示装置とが存在するＡＶネットワークシステムにおいて、再生装置で再生されたコンテンツを、ユーザが所望する表示装置に自動的に表示させることのできる再生装置を提供することを目的とする。
【課題を解決するための手段】
【００３１】
本発明の一形態に係る再生装置は、通信ネットワークを介して接続されている複数の表示装置のうちのいずれかに対して、コンテンツを送信する。具体的には、前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択部と、前記選択部で選択された表示装置に対して、前記コンテンツを送信するコンテンツ送信部とを備える。【００３２】
上記構成のように、優先度の高い表示装置を選択してコンテンツを送信することにより、再生装置で再生されたコンテンツを、自動的にユーザが所望する表示装置で表示することが可能となる。【００３３】
一例として、前記複数の表示装置それぞれは、当該表示装置の取り得る複数の動作状態のそれぞれに対応付けて、複数の優先度を保持していてもよい。そして、前記選択部は、前記複数の表示装置それぞれの現在の動作状態に対応付けられた優先度のみを取得してもよい。【００３４】
また、前記選択部は、選択した表示装置の動作状態が変更したことを検出したタイミングで、再度、前記複数の表示装置それぞれの現在の動作状態に対応付けられた優先度を取得し、前記複数の表示装置のうち、最も高い優先度を保持している表示装置を新たに選択してもよい。【００３５】
さらに、前記選択部は、直前に選択されていた表示装置を除く他の表示装置のうち、最も高い優先度を保持している表示装置を新たに選択してもよい。【００３６】
さらに、前記選択部は、選択した表示装置に対して、当該表示装置の電源状態をオン状態にするための電源オン要求コマンドを送信し、且つ当該表示装置との間でコネクションを確立する処理を実行してもよい。そして、前記コンテンツ送信部は、確立したコネクションを通じて前記コンテンツを送信してもよい。【００３７】
さらに、前記選択部は、選択した表示装置に対して、現在の電源状態を確認するための電源状態確認コマンドを送信し、前記電源状態確認コマンドの応答として受信した電源状態通知コマンドに、当該表示装置の現在の電源状態がオフ状態であることを示す値が設定されている場合に、前記電源オン要求コマンドを送信してもよい。【００３８】
さらに、前記選択部は、選択した表示装置に対して、現在の電源状態を確認するための電源状態確認コマンドを送信し、前記電源状態確認コマンドの応答として受信した電源状態通知コマンドに、当該表示装置の現在の電源状態がオン状態であることを示す値が設定されていることを確認した後に、前記コネクションを確立する処理を開始してもよい。【００３９】
また、前記選択部は、該再生装置の電源状態がオン状態となったタイミング、該再生装置で再生するコンテンツをユーザに選択させるタイミング、又は該再生装置が前記コンテンツの再生を開始したタイミングのいずれかで、前記複数の表示装置のうち、最も高い優先度を保持している表示装置を選択する処理を実行してもよい。【００４０】
一例として、前記通信ネットワークは、ＷｉｒｅｌｅｓｓＨＤ（Ｈｉｇｈ  Ｄｅｆｉｎｉｔｉｏｎ）であってもよい。そして、前記選択部は、ＬＲＰ（Ｌｏｗ−Ｒａｔｅ  Ｐｈｙｓｉｃａｌ  ｌａｙｅｒ）を通じて前記優先度を取得し、前記コンテンツ送信部は、ＨＲＰ（Ｈｉｇｈ−Ｒａｔｅ  Ｐｈｙｓｉｃａｌ  ｌａｙｅｒ）を通じてコンテンツを送信してもよい。【００４１】
他の例として、前記複数の表示装置それぞれは、当該表示装置の取り得る複数の動作状態のそれぞれに対応付けて、複数の優先度を保持していてもよい。そして、前記選択部は、前記複数の表示装置それぞれから、当該表示装置が保持している前記複数の優先度と、当該表示装置の現在の動作状態とを取得し、取得した前記複数の表示装置のうち、現在の動作状態に対応付けられた優先度が最も高い表示装置を選択してもよい。【００４２】
本発明の一形態に係る表示装置は、通信ネットワークを介して再生装置に接続されている複数の表示装置のうちの一の表示装置であって、前記再生装置から受信したコンテンツを表示する。具体的には、前記再生装置から受信したコンテンツを表示する優先順位であって、前記複数の表示装置のうちの該表示装置の優先順位を示す優先度を保持する優先度保持部と、前記再生装置からの要求に応じて、前記優先度保持部に保持されている優先度を、前記通信ネットワークを通じて前記再生装置に通知する通知部と、前記再生装置から受信したコンテンツを表示する表示部とを備える。【００４３】
また、前記優先度保持部は、該表示装置の複数の電源状態それぞれに対応付けられた複数の優先度を保持していてもよい。そして、オン状態に対応付けられる優先度は、オフ状態に対応付けられる優先度より高くてもよい。【００４４】
本発明の一形態に係るＡＶネットワークシステムは、再生装置と、通信ネットワークを介して前記再生装置に接続されている複数の表示装置とを備え、前記再生装置から前記通信ネットワークを通じて送信されたコンテンツを前記複数の表示装置のうちのいずれかで表示する。前記再生装置は、前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択部と、前記選択部で選択された表示装置に対して、前記コンテンツを送信するコンテンツ再生部とを備える。前記表示装置は、前記再生装置から受信したコンテンツを表示する優先順位であって、前記複数の表示装置のうちの該表示装置の優先順位を示す優先度を保持する優先度保持部と、前記再生装置からの要求に応じて、前記優先度保持部に保持されている優先度を、前記通信ネットワークを通じて前記再生装置に通知する通知部と、前記再生装置から受信したコンテンツを表示する表示部とを備える。【００４５】
本発明の一形態に係る再生方法は、通信ネットワークを介して接続されている複数の表示装置のうちのいずれかに対して、コンテンツを送信する方法である。具体的には、前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択ステップと、前記選択ステップで選択された表示装置に対して、前記コンテンツを送信するコンテンツ送信ステップとを含む。【００４６】
本発明の一形態に係るプログラムは、コンピュータに、通信ネットワークを介して接続されている複数の表示装置のうちのいずれかに対して、コンテンツを送信させる。具体的には、前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択ステップと、前記選択ステップで選択された表示装置に対して、前記コンテンツを送信するコンテンツ送信ステップとを、コンピュータに実行させる。【００４７】
本発明の一形態に係る集積回路は、通信ネットワークを介して接続されている複数の表示装置のうちのいずれかに対して、コンテンツを送信する。具体的には、前記複数の表示装置それぞれの前記コンテンツを表示する優先順位を示す優先度を、前記通信ネットワークを通じて前記複数の表示装置それぞれから取得し、前記複数の表示装置のうち、最も高い優先度を保持している表示装置を選択する選択部と、前記選択部で選択された表示装置に対して、前記コンテンツを送信するコンテンツ送信部とを備える。
【発明の効果】
【００４８】
本発明によれば、優先度の高い表示装置を選択してコンテンツを送信することにより、再生装置で再生されたコンテンツを、ユーザが所望する表示装置で表示することが可能となる。
【図面の簡単な説明】
【００４９】
【図１】図１は、本発明の実施の形態１に係る表示装置及び再生装置の機能ブロック図である。
【図２】図２は、本発明の実施の形態１に係る表示装置および再生装置を備えるＡＶネットワークシステムの構成の一例を示す図である。
【図３】図３は、本発明の実施の形態１に係る表示装置であるプロジェクターの電源状態がオン状態のときの、本発明の実施の形態１に係る再生装置であるＢＤプレーヤからのワンタッチプレイ動作のシーケンスを示す図である。
【図４】図４は、本発明の実施の形態１に係る表示装置であるプロジェクターの電源状態がオフ状態のときの、本発明の実施の形態１に係る再生装置であるＢＤプレーヤからのワンタッチプレイ動作のシーケンスを示す図である。
【図５】図５は、本発明の実施の形態１におけるＡＶネットワークシステムを構成するプロジェクターでコンテンツを視聴中にプロジェクターの電源状態がオフ状態にされた場合の動作シーケンスを示す図である。
【図６】図６は、本発明の実施の形態２に係る表示装置および再生装置を備えるＡＶネットワークシステムの構成の一例を示す図である。
【図７】図７は、本発明の実施の形態２に係る表示装置であるプロジェクターの電源状態がオン状態のときの、本発明の実施の形態２に係る再生装置であるＢＤプレーヤからのワンタッチプレイ動作のシーケンスを示す図である。
【図８】図８は、本発明の実施の形態２に係る表示装置であるプロジェクターの電源状態がオフ状態のときの、本発明の実施の形態２に係る再生装置であるＢＤプレーヤからのワンタッチプレイ動作のシーケンスを示す図である。
【図９】図９は、本発明の実施の形態２におけるＡＶネットワークシステムを構成するプロジェクターでコンテンツを視聴中にプロジェクターの電源状態がオフ状態にされた場合の動作シーケンスを示す図である。
【図１０】図１０は、従来の一般的なＡＶネットワークシステムの構成の一例を示す図である。
【図１１】図１１は、従来の一般的なＡＶネットワークシステムにおけるＢＤプレーヤの再生開始時のＣＥＣコマンドシーケンスの一例を示す図である。
【図１２】図１２は、従来の無線通信インタフェースを用いた一般的なＡＶネットワークシステムの構成を示す図である。
【図１３】図１３は、従来の無線通信インタフェースを用いた一般的なＡＶネットワークシステムにおけるＢＤプレーヤの再生開始時の動作シーケンスの一例を示す図である。
【図１４】図１４は、従来の無線通信インタフェースを用いた２台の表示装置が存在する場合のＡＶネットワークシステムの構成を示す図である。
【図１５】図１５は、従来の無線通信インタフェースを用いた２台の表示装置が存在する場合のＡＶネットワークシステムにおいて、プロジェクターでコンテンツを視聴する場合のＢＤプレーヤの再生開始時の動作シーケンスの一例を示す図である。
【発明を実施するための形態】
【００５０】
以下に、本発明を実施するための形態について、図面を参照しながら説明する。
【００５１】
（実施の形態１）
図１〜図４を用いて、本発明の実施の形態１に係るＡＶネットワークシステムの構成、及びワンタッチプレイ動作について説明する。なお、図１は、本発明の実施の形態１に係る再生装置及び表示装置の機能ブロック図である。また、図２は、本発明の実施の形態１に係るＡＶネットワークシステムの構成の一例を示す図である。また、図３は、本発明の実施の形態１に係る表示装置であるプロジェクターの電源状態がオン状態のときの、本発明の実施の形態１に係る再生装置であるＢＤプレーヤからのワンタッチプレイ動作のシーケンスを示す図である。また、図４は、本発明の実施の形態１に係る表示装置であるプロジェクターの電源状態がオフ状態のときの、本発明の実施の形態１に係る再生装置であるＢＤプレーヤからのワンタッチプレイ動作のシーケンスを示す図である。
【００５２】
図１及び図２において、本発明の実施の形態１に係るＡＶネットワークシステムは、再生装置であるＢＤプレーヤ１３と、ＢＤプレーヤ１３とはそれぞれ無線通信ネットワークで接続されている表示装置であるＴＶ１１およびプロジェクター１２とで構成されている。このように、本発明の実施の形態１に係るＡＶネットワークシステムは、１台の再生装置と、複数台の表示装置とで構成される。
【００５３】
表示装置であるＴＶ１１およびプロジェクター１２は、無線通信ネットワークを介して、再生装置であるＢＤプレーヤ１３から映像データまたは映像音声データを受信するとともに、ＢＤプレーヤ１３との間で制御コマンドの送受信を行うことができる。また、ＢＤプレーヤ１３との間でコネクションを確立している場合は、受信している映像データまたは映像音声データを表示することができる。さらに、ＢＤプレーヤ１３と無線通信ネットワークで接続されている全ての表示装置を対象に割り振られた表示優先度（以下、優先度と称す）に関する情報の内、自装置の優先度に関する情報を保持している。
【００５４】
具体的には、ＴＶ１１は、図１に示されるように、通信部１１ａと、優先度保持部１１ｂと、制御コマンド処理部１１ｃと、コンテンツ表示部１１ｄとを備える。同様に、プロジェクター１２は、通信部１２ａと、優先度保持部１２ｂと、制御コマンド処理部１２ｃと、コンテンツ表示部１２ｄとを備える。なお、ＴＶ１１とプロジェクター１２との各構成要素の動作は共通するので、以下、ＴＶ１１の構成要素の説明のみを行う。
【００５５】
通信部１１ａは、ＨＤＭＩ規格に準拠した方式で無線通信を行う通信インタフェースである。具体的には、ＨＲＰ（Ｈｉｇｈ  Ｒａｔｅ  ＰＨＹ）とＬＲＰ（Ｌｏｗ  Ｒａｔｅ  ＰＨＹ）とを必要に応じて切り替えて、無線伝送を行う。ＨＲＰは、４．０Ｇ（ｂｐｓ）の帯域を持ち、一方向（ＢＤプレーヤ１３からＴＶ１１に向かう方向）のみの無線伝送が可能である。一方、ＬＲＰは、４０Ｍ（ｂｐｓ）の帯域を持ち、双方向の無線伝送が可能である。
【００５６】
実施の形態１においては、ＢＤプレーヤ１３からＴＶ１１（又はプロジェクター１２）に、ＨＲＰを用いて映像音声データ（コンテンツデータ）を無線伝送する。一方、ＢＤプレーヤ１３とＴＶ１１（又はプロジェクター１２）との間で、ＬＲＰを用いてＣＥＣ（Ｃｏｎｓｕｍｅｒ  Ｅｌｅｃｔｒｏｎｉｃｓ  Ｃｏｎｔｒｏｌ）メッセージ等の制御コマンドを相互に無線伝送する。
【００５７】
優先度保持部１１ｂは、ＡＶネットワークに接続されている複数の表示装置（ＴＶ１１及びプロジェクター１２）内におけるコンテンツを表示する優先順位であって、ＴＶ１１の優先順位を示す優先度を保持している。言い換えれば、ＡＶネットワークシステムに接続されている複数の表示装置（この例では、ＴＶ１１及びプロジェクター１２）それぞれに割り当てられている優先順位のうち、自装置（ＴＶ１１）に割り当てられている優先順位を示す情報（優先度）が保持されている。
【００５８】
なお、優先度保持部１１ｂは、表示装置の取り得る複数の動作状態それぞれに対応付けて、複数の優先度を保持していてもよい。ここでの動作状態とは、例えば、電源状態（オン状態又はオフ状態）、或いは他機器との通信状態（通信状態又は非通信状態）等が該当する。
【００５９】
また、優先度保持部１１ｂは、例えば、ＤＲＡＭ（Ｄｙｎａｍｉｃ  ｒａｎｄｏｍ  ａｃｃｅｓｓ  ｍｅｍｏｒｙ）、ＳＤＲＡＭ（Ｓｙｎｃｈｒｏｎｏｕｓ  ｄｙｎａｍｉｃ  ｒａｎｄｏｍ  ａｃｃｅｓｓ  ｍｅｍｏｒｙ）、フラッシュメモリ、又は強誘電体メモリ等のデータを記録可能な手段であればどのようなものを利用しても構わない。
【００６０】
制御コマンド処理部（通知部）１１ｃは、ＢＤプレーヤ１３から送信される制御コマンドを通信部１１ａを通じて受信すると共に、制御コマンドを通信部１１ａを通じてＢＤプレーヤ１３に送信する。実施の形態１においては、優先度確認コマンド及び電源オン要求コマンドをＢＤプレーヤ１３から受信し、優先度通知コマンド及び電源状態通知コマンドをＢＤプレーヤ１３に送信する。具体的な処理内容は、後述する。なお、通信部１１ａは、上記の制御コマンドをＬＲＰを用いて送受信するものとする。
【００６１】
より具体的には、ＢＤプレーヤ１３から優先度確認コマンドを受信した場合は、優先度に関する情報をパラメータとして付加した優先度通知コマンドを優先度確認コマンドの送信元である再生装置（ここでは、ＢＤプレーヤ１３）に送信する。また、ＢＤプレーヤ１３から電源オン要求コマンドを受信した場合は、自装置の電源状態をオン状態にする。
【００６２】
一方、再生装置であるＢＤプレーヤ１３は、無線通信ネットワークを介して、表示装置であるＴＶ１１およびプロジェクター１２に対して映像データまたは映像音声データを送信するとともに、ＴＶ１１およびプロジェクター１２との間でそれぞれ制御コマンドの送受信を行うことができる。また、ＴＶ１１およびプロジェクター１２に対して、優先度確認コマンドや電源オン要求コマンドを送信するとともに、ＴＶ１１およびプロジェクター１２から優先度通知コマンドや電源状態通知コマンドを受信することができる。さらに、ＴＶ１１およびプロジェクター１２から受信した優先度通知コマンドを基に、最も優先度の高い表示装置（ここでは、ＴＶ１１もしくはプロジェクター１２）を判定し、選択することができる。
【００６３】
具体的には、ＢＤプレーヤ１３は、通信部１３ａと、制御コマンド処理部１３ｂと、コンテンツ送信部１３ｃとを備える。通信部１３ａの構成は、通信部１１ａと共通するので、再度の説明は省略する。
【００６４】
制御コマンド処理部（選択部）１３ｂは、コンテンツを送信する表示装置を選択する処理を実行する。具体的には、制御コマンド処理部１３ｂは、通信部１３ａを通じて表示装置（ＴＶ１１及びプロジェクター１２）と制御コマンドの送受信を行い、コンテンツを送信する表示装置を選択し、選択した表示装置との間でＨＲＰのコネクション確立処理を実行する。具体的な処理内容は、後述する。
【００６５】
コンテンツ送信部１３ｃは、コンテンツを取得し、取得したコンテンツを再生し、再生して得られた映像音声データを通信部１３ａを通じて選択した表示装置に送信する。なお、コンテンツの取得先は特に限定されないが、例えば、ＢＤプレーヤ１３に挿入されるＢＤ（Ｂｌｕ−ｒａｙ  Ｄｉｓｃ）から取得してもよいし、放送波等から取得してもよい。また、コンテンツの再生とは、例えば、符号化されているコンテンツを復号し、表示装置で表示できる形式のデータ（映像音声データ）に変換すること等を指す。
【００６６】
以上のように構成されたＡＶネットワークシステムにおいて、ＢＤプレーヤ１３の制御コマンド処理部１３ｂは、所定のタイミングで、通信部１３ａを通じて全ての表示装置（ここでは、ＴＶ１１およびプロジェクター１２）に対して優先度確認コマンドを順次送信し、全ての表示装置から優先度通知コマンドを通信部１３ａを通じて受信する。なお、所定のタイミングには、例えば、ＢＤプレーヤ１３の電源状態がオン状態となったタイミング、ＢＤプレーヤ１３で再生するコンテンツをユーザに選択させるタイミング（メニュー画面の表示等）、又はＢＤプレーヤ１３がコンテンツの再生を開始したタイミング等が該当する。
【００６７】
次に、制御コマンド処理部１３ｂは、受信した優先度通知コマンドを基に、優先度の高い表示装置（ここでは、ＴＶ１１もしくはプロジェクター１２）を判定して選択する。そして、制御コマンド処理部１３ｂは、選択した表示装置に対して、電源オン要求コマンドを送信すると共に、表示装置との間でＨＲＰのコネクションを確立する処理を実行することでワンタッチプレイを実現する。
【００６８】
以下に、ＴＶ１１およびプロジェクター１２に割り振られた具体的な優先度に基づくワンタッチプレイ動作について説明する。
【００６９】
図２において、ＴＶ１１およびプロジェクター１２は、それぞれ、優先度保持部１１ｂ、１２ｂにワンタッチプレイの優先度を示す値（優先度情報）を保持している。優先度を示す値は、小さい数値ほど高い優先度を示すものとする。
【００７０】
図２に示すように、ＴＶ１１が保持する優先度は、電源状態がオン状態であるかオフ状態であるかに関係なく"２"である。また、プロジェクター１２が保持する優先度は、電源状態がオン状態の場合が"１"、電源状態がオフ状態の場合が"３"であるとする。
【００７１】
これらの優先度の設定は、プロジェクター１２の電源状態がオン状態のときは、ユーザはプロジェクター１２でコンテンツ視聴しようとしているとみなし、プロジェクター１２の電源状態がオフ状態のときは、ユーザはＴＶ１１でコンテンツを視聴しようとしているとみなして設定したものである。すなわち、優先度を電源状態に対応付ける場合には、プロジェクター１２の場合のように、オン状態に対応付けられる優先度を、オフ状態に対応付けられる優先度より高く設定するのが望ましい。
【００７２】
なお、ここでの電源状態がオン状態とは、表示装置（ＴＶ１１やプロジェクター１２など）が、表示機能など表示装置としての機能を発揮するために必要な電源が供給されている状態（主電源がオンの状態）を意味する。一方、電源状態がオフ状態とは、表示機能など表示装置としての主機能を発揮することはできないが、少なくとも再生装置（ＢＤプレーヤなど）との間で制御コマンド（優先度確認コマンドや優先度通知コマンドなど）の送受信が可能な電源が供給されている状態を意味する。
【００７３】
次に、図３を用いて、プロジェクター１２の初期の電源状態がオン状態のときのワンタッチプレイ動作について説明する。
【００７４】
図３において、例えば、ＢＤプレーヤ１３がコンテンツの再生を開始するタイミングで、まず、ＢＤプレーヤ１３の制御コマンド処理部１３ｂは、プロジェクター１２に対し、優先度確認コマンドを送信する。
【００７５】
プロジェクター１２の制御コマンド処理部１２ｃは、ＢＤプレーヤ１３から優先度確認コマンドを受信すると、その応答として、ＢＤプレーヤ１３に対して優先度通知コマンドを送信する。このとき、プロジェクター１２の電源状態はオン状態であるので、優先度通知コマンドに付加するパラメータは、オン状態のときの優先度を示す"１"である。
【００７６】
続いて、ＢＤプレーヤ１３の制御コマンド処理部１３ｂは、ＴＶ１１に対して優先度確認コマンドを送信する。
【００７７】
ＴＶ１１の制御コマンド処理部１１ｃは、ＢＤプレーヤ１３から優先度確認コマンドを受信すると、その応答として、ＢＤプレーヤ１３に対して優先度通知コマンドを送信する。このとき、ＴＶ１１の優先度は、電源状態がオン状態であるかオフ状態であるかに関わらず"２"であるので、優先度通知コマンドに付加するパラメータは、"２"である。
【００７８】
ＢＤプレーヤ１３の制御コマンド処理部１３ｂは、ＴＶ１１およびプロジェクター１２から受信したそれぞれの優先度通知コマンドに付加されているパラメータ（優先度）を比較し、より優先度が高い表示装置であるプロジェクター１２に対してワンタッチプレイを実施することを決定する。
【００７９】
なお、ＢＤプレーヤ１３からプロジェクター１２に対するワンタッチプレイ動作は、図１５を用いて説明した従来例と同様であるので、ここでは説明を省略する。
【００８０】
このようにすることにより、ユーザは、プロジェクター１２の電源状態をオン状態にしておくことで、ＢＤプレーヤ１３が再生するコンテンツを、常にプロジェクター１２で自動的に視聴することができる。
【００８１】
次に、図４を用いて、プロジェクター１２の初期の電源状態がオフ状態のときのワンタッチプレイ動作について説明する。
【００８２】
図４において、例えば、ＢＤプレーヤ１３がコンテンツの再生を開始するタイミングで、まず、ＢＤプレーヤ１３の制御コマンド処理部１３ｂは、プロジェクター１２に対して優先度確認コマンドを送信する。
【００８３】
プロジェクター１２の制御コマンド処理部１２ｃは、ＢＤプレーヤ１３から優先度確認コマンドを受信すると、その応答として、ＢＤプレーヤ１３に対して優先度通知コマンドを送信する。このとき、プロジェクター１２の電源状態はオフ状態であるので、優先度通知コマンドに付加するパラメータは、オフ状態のときの優先度を示す"３"である。
【００８４】
続いて、ＢＤプレーヤ１３の制御コマンド処理部１３ｂは、ＴＶ１１に対して優先度確認コマンドを送信する。
【００８５】
ＴＶ１１の制御コマンド処理部１１ｃは、ＢＤプレーヤ１３から優先度確認コマンドを受信すると、その応答として、ＢＤプレーヤ１３に対して優先度通知コマンドを送信する。このとき、ＴＶ１１の優先度は、電源状態がオン状態であるかオフ状態であるかに関わらず"２"であるので、優先度通知コマンドに付加するパラメータは、"２"である。
【００８６】
ＢＤプレーヤ１３の制御コマンド処理部１３ｂは、ＴＶ１１およびプロジェクター１２から受信したそれぞれの優先度通知コマンドに付加されているパラメータ（優先度）を比較し、より優先度が高い表示装置であるＴＶ１１に対してワンタッチプレイを実施することを決定する。
【００８７】
なお、ＢＤプレーヤ１３からＴＶ１１に対するワンタッチプレイ動作は、図１３を用いて説明した従来例と同様であるので、ここでは説明を省略する。
【００８８】
このようにすることにより、ユーザは、プロジェクター１２の電源状態をオフ状態にしておくことで、ＢＤプレーヤ１３が再生するコンテンツを、常に自動的にＴＶ１１で視聴することができる。
【００８９】
以上のように、ユーザは、ＢＤプレーヤ１３がコンテンツの再生を開始したときに、常に視聴したい表示装置に対して、ワンタッチプレイを実施することができる。
【００９０】
次に、図５を用いて、本発明の実施の形態１におけるＡＶネットワークシステムにおいて、プロジェクター１２でコンテンツを視聴中に、プロジェクター１２の電源状態がオフ状態にされた場合の動作を説明する。なお、図５は、本発明の実施の形態１におけるＡＶネットワークシステムを構成するプロジェクター１２でコンテンツを視聴中に、プロジェクター１２の電源状態がオフ状態にされた場合の動作シーケンスを示す図である。
【００９１】
図５において、すでに、ＢＤプレーヤ１３とプロジェクター１２との間でＨＲＰのコネクションが確立しており、ＢＤプレーヤ１３からプロジェクター１２に対して映像音声データが送信されており、ユーザは、ＢＤプレーヤ１３から送信されてくる映像音声データ（コンテンツ）をプロジェクター１２にて視聴中の状態にあるものとする。
【００９２】
このような状態において、プロジェクター１２の制御コマンド処理部１２ｃは、自装置の電源状態がオフ状態にされると、まずＢＤプレーヤ１３との間のＨＲＰのコネクションを切断する。そしてその後、プロジェクター１２の制御コマンド処理部１２ｃは、ＢＤプレーヤ１３に対して電源状態がオフ状態になったことを示す電源状態通知コマンド"オフ"を送信する。
【００９３】
ＢＤプレーヤ１３の制御コマンド処理部１３ｂは、プロジェクター１２から電源状態がオフ状態になったことを示す電源状態通知コマンドを受信すると、上述したと同様のワンタッチプレイ動作を実施する。このとき、プロジェクター１２の電源状態はオフ状態であるため、この場合のワンタッチプレイ動作は、図４と同様の動作シーケンスとなる。
【００９４】
その結果、ＴＶ１１の電源状態がオフ状態であれば電源状態がオン状態になり、ＢＤプレーヤ１３で再生されていたコンテンツの映像音声データは、ＴＶ１１のコンテンツ表示部１１ｄに出力される。
【００９５】
すなわち、ＢＤプレーヤ１３の制御コマンド処理部１３ｂは、選択した表示装置の動作状態が変更したことを検出したタイミングで、再度、複数の表示装置それぞれの現在の動作状態に対応付けられた優先度を取得し、複数の表示装置のうち、最も高い優先度を保持している表示装置を選択しなおしている。
【００９６】
以上のように動作させることにより、プロジェクター１２の電源状態をオフ状態にしたときに、自動的にＴＶ１１の電源状態をオン状態にすることができるので、ＢＤプレーヤ１３が再生するコンテンツを、プロジェクター１２からＴＶ１１に自動的に切り替えて視聴することができる。
【００９７】
このとき、ＢＤプレーヤ１３の制御コマンド処理部１３ｂは、図５に示されるように、接続されている全ての表示装置（ＴＶ１１及びプロジェクター１２）に対して、優先度確認コマンドを送信して優先度を取得しなおしてもよい。初回選択時の処理（図２及び図３）と、再選択時の処理（図５）とを共通化することができる。
【００９８】
しかしながら、プロジェクター１２でコンテンツを視聴していたユーザがプロジェクター１２の電源状態をオフ状態にする場合とは、プロジェクター１２でのコンテンツの視聴を中止して、ＴＶ１１でコンテンツをしたい場合であると考えることもできる。
【００９９】
そこで、図５の処理に代えて、直前に選択されていたプロジェクター１２を除く他の表示装置に対して優先度確認コマンドを送信してもよい。そして、この応答として受信した優先度通知コマンドに付加されているパラメータ（優先度）を比較し、最も高い優先度を保持している表示装置を選択してもよい。または、優先度確認コマンドを送信する処理は全ての表示装置に対して行い、優先度を比較する処理において、直前に選択されていた表示装置を除外するようにしてもよい。
【０１００】
なお、図５に示す実施の形態においては、プロジェクター１２が、ＢＤプレーヤ１３に対して、電源状態がオフ状態になったことを示す電源状態通知コマンドを送信する場合を例に挙げたが、これに限るものではなく、例えば、プロジェクター１２が、ＢＤプレーヤ１３に対して、ＢＤプレーヤ１３に再度ワンタッチプレイ動作を実施させる電源状態通知コマンドとは異なる制御コマンドを送信するようにしても構わない。
【０１０１】
また、本発明の実施の形態１におけるＡＶネットワークシステムにおいて、ＴＶ１１、プロジェクター１２およびＢＤプレーヤ１３の接続形態や優先度の設定は一例であり、これらに限定されるものではない。
【０１０２】
また、図２に示す各表示装置の優先度の設定は、すでに説明したように一例に過ぎない。すなわち、ユーザは、プロジェクター１２の電源状態がオン状態のときはプロジェクター１２を、プロジェクター１２の電源状態がオフ状態のときはＴＶ１１を、それぞれ使用するものと想定して設定したものである。すなわち、別の使用ケースを想定する場合には、異なる優先度の設定を行ってもよい。例えば、プロジェクター１２が無線通信ネットワーク上に存在する場合は、プロジェクター１２の電源状態がオン状態であるかオフ状態であるかにかかわらずプロジェクター１２で視聴することを所望する場合には、プロジェクター１２の優先度を、電源状態にかかわらず常に"１"を設定しておけばよい。
【０１０３】
また、本発明の実施の形態１においては、優先度は、電源状態がオン状態であるかオフ状態であるかに対応して設定したが、電源状態以外の条件に対応した優先度を設定するようにしても構わない。具体的には、表示装置がＢＤプレーヤ１３以外の他の再生装置と通信を行っている（ＨＲＰのコネクションが確立されている）か否かに対応付けて優先度を設定しても良い。この場合、表示装置が他の再生装置と通信を行っていない場合の優先度を、他の再生装置と通信を行っている場合の優先度より高く設定するのが望ましい。
【０１０４】
また、本発明の実施の形態１においては、ＢＤプレーヤ１３は、まず、プロジェクター１２に対して優先度確認コマンドを送ったが、優先度確認コマンドを送る順序はこれに限るものではなく、ＴＶ１１に対して先に送っても構わない。
【０１０５】
また、本発明の実施の形態１においては、再生装置であるＢＤプレーヤ１３は、表示装置であるＴＶ１１およびプロジェクター１２から、優先度確認コマンドに対応する優先度通知コマンドをすべて受信できる場合を例に挙げて説明したが、これに限るものではない。例えば、ＢＤプレーヤ１３は、ある表示装置（ここでは、ＴＶ１１とする）に対して優先度確認コマンドを送信した後、ＴＶ１１から所定の時間内に優先度通知コマンドを受信できない場合は、ＴＶ１１を無視して次の動作に移行するように構成しても構わない。但し、この場合、ＢＤプレーヤ１３は、ＴＶ１１以外の表示装置から受信した優先度通知コマンドを基に、最も優先度の高い表示装置を判定して選択することになる。
【０１０６】
また、本発明の実施の形態１においては、ＢＤプレーヤ１３は、ワンタッチプレイを実施することを決定した表示装置（ＴＶ１１もしくはプロジェクター１２）に対して、当該表示装置の電源状態がオン状態であるかオフ状態であるかにかかわらず、電源オン要求コマンドを送信した。しかしながら、電源オン要求コマンドを送信する前に、当該表示装置の電源状態を確認し、当該表示装置の電源状態がオフ状態の場合のみ、電源オン要求コマンドを送信するようにしても構わない。
【０１０７】
すなわち、ＢＤプレーヤ１３の制御コマンド処理部１３ｂは、選択した表示装置に対して、現在の電源状態を確認するための電源状態確認コマンドを送信し、電源状態確認コマンドの応答として受信した電源状態通知コマンドに当該表示装置の現在の電源状態がオフ状態であることを示す値が設定されている場合にのみ、電源オン要求コマンドを送信するようにしてもよい。
【０１０８】
また、ＢＤプレーヤ１３は、ワンタッチプレイを実施することを決定した表示装置（ＴＶ１１もしくはプロジェクター１２）に対し、電源オン要求コマンドを送信した後に当該表示装置の電源状態を確認し、当該表示装置の電源状態がオン状態になるまで再生を開始せずに待機するようにしてもよい。この場合、当該表示装置の電源状態の確認は、例えば、数秒ごとに行うようにすればよい。
【０１０９】
すなわち、ＢＤプレーヤの制御コマンド処理部１３ｂは、選択した表示装置に対して、現在の電源状態を確認するための電源状態確認コマンドを送信し、電源状態確認コマンドの応答として受信した電源状態通知コマンドに当該表示装置の現在の電源状態がオン状態であることを示す値が設定されていることを確認した後に、コネクションを確立する処理を開始してもよい。
【０１１０】
また、本発明の実施の形態１においては、ＢＤプレーヤ１３は、ワンタッチプレイを実施することを決定した表示装置に対して、映像音声データを出力するとしたが、映像データのみであっても構わない。
【０１１１】
また、本発明の実施の形態１においては、ＢＤプレーヤ１３は、所定のタイミングとして、コンテンツの再生を開始したタイミングを例に挙げて説明したが、このタイミングに限るものではなく、例えば、ＢＤプレーヤ５３の電源状態がオン状態になったタイミング、または、再生するコンテンツをユーザに選択させるためのメニューを表示したタイミングでワンタッチプレイ動作を実施するようにしても構わない。
【０１１２】
また、本発明の実施の形態１においては、再生装置としてＢＤプレーヤ１３が１つの場合を例に挙げて説明したが、これに限るものではなく、例えば、ＢＤレコーダやＳＴＢなどであっても構わないし、また、１つではなく複数存在しても構わない。
【０１１３】
また、本発明の実施の形態１においては、表示装置としてＴＶ１１およびプロジェクター１２の２つの表示装置が存在する場合を例に挙げて説明したが、これに限るものではなく、他の表示装置であっても構わないし、同じ種類の表示装置が複数存在するような状態であっても構わないし、３つ以上の表示装置が存在するような状態であっても構わない。
【０１１４】
また、本発明の実施の形態１においては、ＢＤプレーヤ１３とＴＶ１１およびプロジェクター１２とは、無線通信ネットワークを用いて映像データや制御コマンドの伝送を行う場合、すなわち、通信部１１ａ、１２ａ、１３ａが無線通信インタフェースである場合を例に挙げて説明したが、これに限るものではなく、他の通信ネットワーク（他の形式の無線通信ネットワーク、又は優先通信ネットワーク等）、すなわち、他のインタフェースを用いても構わない。
【０１１５】
（実施の形態２）
図６〜図８を用いて、本発明の実施の形態２に係るＡＶネットワークシステムの構成、及びワンタッチプレイ動作について説明する。なお、図６は、本発明の実施の形態２に係る表示装置および再生装置を備えるＡＶネットワークシステムの構成の一例を示す図である。また、図７は、本発明の実施の形態２に係る表示装置であるプロジェクターの電源状態がオン状態のときの、本発明の実施の形態２に係る再生装置であるＢＤプレーヤからのワンタッチプレイ動作のシーケンスを示す図である。また、図８は、本発明の実施の形態２に係る表示装置であるプロジェクターの電源状態がオフ状態のときの、本発明の実施の形態２に係る再生装置であるＢＤプレーヤからのワンタッチプレイ動作のシーケンスを示す図である。
【０１１６】
図６において、ＡＶネットワークシステムは、再生装置であるＢＤプレーヤ５３と、ＢＤプレーヤ５３とはそれぞれ無線通信ネットワークで接続されている表示装置であるＴＶ５１およびプロジェクター５２とで構成されている。
【０１１７】
表示装置であるＴＶ５１およびプロジェクター５２は、本発明の実施の形態１におけるＴＶ１１およびプロジェクター１２と同様の通信部１１ａ、１２ａ、優先度保持部１１ｂ、１２ｂ、制御コマンド処理部１１ｃ、１２ｃ、及びコンテンツ表示部１１ｄ、１２ｄを備える。また、再生装置であるＢＤプレーヤ５３は、本発明の実施の形態１におけるＢＤプレーヤ１３と同様の通信部１３ａ、制御コマンド処理部１３ｂ、及びコンテンツ送信部１３ｃを備える。以下に、本発明の実施の形態２におけるワンタッチプレイの処理動作について、実施の形態１との相違点を中心に説明する。
【０１１８】
表示装置であるＴＶ５１およびプロジェクター５２は、無線通信ネットワークを介して、再生装置であるＢＤプレーヤ５３から映像データまたは映像音声データを受信するとともに、ＢＤプレーヤ５３との間で制御コマンドの送受信を行うことができる。また、ＢＤプレーヤ５３との間でコネクションを確立している場合は、受信している映像データまたは映像音声データを表示することができる。さらに、ＢＤプレーヤ５３と無線通信ネットワークで接続されている全ての表示装置を対象に割り振られた表示優先度（以下、優先度と称す）に関する情報の内、自装置の優先度に関する情報として、自装置の電源状態がオン状態であるかオフ状態であるかを表す電源状態と、自装置の電源状態に関連付けられた優先度とを組み合わせた優先度一覧を保持している。
【０１１９】
そして、ＴＶ５１およびプロジェクター５２は、ＢＤプレーヤ５３から優先度一覧取得コマンドを受信した場合は、優先度一覧に関する情報をパラメータとして付加した優先度一覧通知コマンドを、電源状態確認コマンドを受信した場合は、現時点の電源状態をパラメータとして付加した電源状態通知コマンドを、それらの送信元である再生装置（ここでは、ＢＤプレーヤ５３）に送信する。さらに、ＢＤプレーヤ５３から電源オン要求コマンドを受信した場合は、自装置の電源状態をオン状態にする。
【０１２０】
すなわち、実施の形態２に係る制御コマンド処理部１１ｃ、１２ｃは、優先度保持部１１ｂ、１２ｂに保持されている全ての優先度を、優先度一覧としてＢＤプレーヤ５３に通知する点で、実施の形態１と相違する。
【０１２１】
一方、再生装置であるＢＤプレーヤ５３は、無線通信ネットワークを介して、表示装置であるＴＶ５１およびプロジェクター５２に対して映像データまたは映像音声データを送信するとともに、ＴＶ５１およびプロジェクター５２との間でそれぞれ制御コマンドの送受信を行うことができる。また、ＢＤプレーヤ５３は、ＴＶ５１およびプロジェクター５２に対して、優先度一覧取得コマンド、電源状態確認コマンドおよび電源オン要求コマンドを送信するとともに、ＴＶ５１およびプロジェクター５２から優先度一覧通知コマンドおよび電源状態通知コマンドを受信し、優先度一覧を保管することができる。
【０１２２】
そして、ＢＤプレーヤ５３は、ＴＶ５１およびプロジェクター５２から受信した優先度一覧通知コマンドおよび電源状態通知コマンドを基に、最も優先度の高い表示装置（ここでは、ＴＶ５１もしくはプロジェクター５２）を判定し選択する。
【０１２３】
すなわち、実施の形態２に係る制御コマンド処理部１３ｂは、ＴＶ５１及びプロジェクター５２から取得した優先度一覧から、取得した電源状態に対応する優先度を抽出する。そして、抽出した優先度を比較し、最も高い優先度を保持している表示装置を選択する点で、実施の形態１と相違する。
【０１２４】
以上のように構成されたＡＶネットワークシステムにおいて、ＢＤプレーヤ５３の制御コマンド処理部１３ｂは、所定のタイミングで、全ての表示装置（ここでは、ＴＶ５１およびプロジェクター５２）に対して優先度一覧取得コマンドおよび電源状態確認コマンドを通信部１３ａを通じて順次送信し、全ての再生装置から優先度一覧通知コマンドおよび電源状態通知コマンドを通信部１３ａを通じて受信する。そして、制御コマンド処理部１３ｂは、受信した優先度一覧通知コマンドおよび電源状態通知コマンドを基に、最も優先度の高い表示装置（ここでは、ＴＶ５１もしくはプロジェクター５２）を判定して選択する。さらに、制御コマンド処理部１３ｂは、選択した表示装置に対して、電源オン要求コマンドを送信し、表示装置との間でＨＲＰのコネクションを確立する処理を実行することで、ワンタッチプレイを実現する。
【０１２５】
以下に、ＴＶ５１およびプロジェクター５２に割り振られた具体的な優先度に基づくワンタッチプレイ動作について説明する。
【０１２６】
ＴＶ５１およびプロジェクター５２は、それぞれ優先度保持部１１ｂ、１２ｂに電源状態がオン状態の場合と、オフ状態の場合とにそれぞれ対応するワンタッチプレイの優先度を示す値を保持している。優先度を示す値は、小さい数値ほど高い優先度を示すものとする。
【０１２７】
図６に示すように、ＴＶ５１が保持する優先度は、電源状態がオン状態であるかオフ状態であるかの如何にかかわらず、いずれも"２"である。また、プロジェクター５２が保持する優先度は、電源状態がオン状態の場合が"１"、電源状態がオフ状態の場合が"３"であるとする。なお、上記のように、動作状態（電源状態）と、動作状態に対応付けられた優先度との全ての組み合わせを含む情報を優先度一覧と称する。
【０１２８】
これらの優先度の設定は、プロジェクター５２の電源状態がオン状態のときは、ユーザはプロジェクター５２でコンテンツを視聴しようとしているとみなし、プロジェクター５２の電源状態がオフ状態のときは、ユーザはＴＶ５１でコンテンツを視聴しようとしているとみなして設定したものである。
【０１２９】
次に、図７を用いて、プロジェクター５２の電源状態がオン状態のときの、ＢＤプレーヤ５３からのワンタッチプレイ動作について説明する。
【０１３０】
まず、例えば、ＢＤプレーヤ５３の電源状態がオン状態になったタイミングで、ＢＤプレーヤ５３の制御コマンド処理部１３ｂが各表示装置の優先度一覧を取得する動作について説明する。
【０１３１】
図７において、ＢＤプレーヤ５３の制御コマンド処理部１３ｂは、電源状態がオン状態にされると、プロジェクター５２に対して優先度一覧取得コマンドを送信する。
【０１３２】
プロジェクター５２の制御コマンド処理部１２ｃは、ＢＤプレーヤ５３から優先度一覧取得コマンドを受信すると、その応答として、ＢＤプレーヤ５３に対して優先度一覧を付加した優先度一覧通知コマンドを送信する。
【０１３３】
続いて、ＢＤプレーヤ５３の制御コマンド処理部１３ｂは、ＴＶ５１に対して優先度一覧取得コマンドを送信する。ＴＶ５１の制御コマンド処理部１１ｃは、ＢＤプレーヤ５３から優先度一覧取得コマンドを受信すると、その応答として、ＢＤプレーヤ５３に対して優先度一覧を付加した優先度一覧通知コマンドを送信する。
【０１３４】
ＢＤプレーヤ５３の制御コマンド処理部１３ｂは、優先度一覧取得コマンドに対応して、それぞれプロジェクター５２およびＴＶ５１から送信された優先度一覧を受信し、受信した優先度一覧をメモリ（図示せず）に保存する。
【０１３５】
続いて、ＢＤプレーヤ５３がコンテンツの再生を開始したときに、プロジェクター５２の初期の電源状態がオン状態のときのワンタッチプレイ動作を説明する。
【０１３６】
ＢＤプレーヤ５３の制御コマンド処理部１３ｂは、ＢＤプレーヤ５３がコンテンツの再生を開始すると、まず、プロジェクター５２に対して電源状態確認コマンドを送信する。
【０１３７】
プロジェクター５２の制御コマンド処理部１２ｃは、ＢＤプレーヤ５３から電源状態確認コマンドを受信すると、その応答として、ＢＤプレーヤ５３に対して電源状態がオン状態であることを示す電源状態通知コマンドを送信する。
【０１３８】
続いて、ＢＤプレーヤ５３の制御コマンド処理部１３ｂは、ＴＶ５１に対して、電源状態確認コマンドを送信する。ＴＶ５１の制御コマンド処理部１１ｃは、ＢＤプレーヤ５３から電源状態確認コマンドを受信すると、その応答として、ＢＤプレーヤに対して電源状態がオフ状態であることを示す電源状態通知コマンドを送信する。
【０１３９】
ＢＤプレーヤ５３の制御コマンド処理部１３ｂは、メモリ（図示せず）に保存しておいたＴＶ５１およびプロジェクター５２のそれぞれの優先度一覧を参照し、ＴＶ５１およびプロジェクター５２における現在の電源状態に対応したそれぞれの優先度を比較し、最も優先度が高い表示装置であるプロジェクター５２に対して、ワンタッチプレイを実施することを決定する。
【０１４０】
なお、ＢＤプレーヤ５３からプロジェクター５２に対するワンタッチプレイ動作は、図１５を用いて説明した従来例と同様であるので、ここでは説明を省略する。
【０１４１】
このようにすることにより、ユーザは、プロジェクター５２の電源状態をオン状態にしておくことで、ＢＤプレーヤ５３が再生するコンテンツを、常にプロジェクター５２で自動的に視聴することができる。
【０１４２】
次に、図８を用いて、プロジェクター５２の電源状態がオフ状態のときの、ＢＤプレーヤ５３からのワンタッチプレイ動作について説明する。
【０１４３】
図８において、ＢＤプレーヤ５３の電源状態がオン状態にされてから、プロジェクター５２およびＴＶ５１からそれぞれ優先度一覧を取得して保存するまでの動作は、図７を用いて説明したプロジェクター５２の電源状態がオン状態のときと同じであるので説明を省略し、ＢＤプレーヤ５３がコンテンツの再生を開始するところから説明を始めることとする。
【０１４４】
ＢＤプレーヤ５３がコンテンツの再生を開始すると、図７に示す動作と同様に、まず、ＢＤプレーヤ５３の制御コマンド処理部１３ｂは、プロジェクター５２に対して、電源状態確認コマンドを送信する。
【０１４５】
プロジェクター５２の制御コマンド処理部１２ｃは、ＢＤプレーヤ５３から電源状態確認コマンドを受信すると、その応答として、ＢＤプレーヤ５３に対して電源状態がオフ状態であることを示す電源状態通知コマンドを送信する。
【０１４６】
続いて、ＢＤプレーヤ５３の制御コマンド処理部１３ｂは、ＴＶ５１に対して、電源状態確認コマンドを送信する。ＴＶ５１の制御コマンド処理部１１ｃは、ＢＤプレーヤ５３から電源状態確認コマンドを受信すると、その応答として、ＢＤプレーヤ５３に対して電源状態がオフ状態であることを示す電源状態通知コマンドを送信する。
【０１４７】
ＢＤプレーヤ５３の制御コマンド処理部１３ｂは、メモリ（図示せず）に保存しておいたＴＶ５１およびプロジェクター５２のそれぞれの優先度一覧を参照し、ＴＶ５１およびプロジェクター５２それぞれの現在の電源状態に対応した優先度を比較し、最も優先度が高い表示装置であるＴＶ５１に対して、ワンタッチプレイを実施することを決定する。
【０１４８】
なお、ＢＤプレーヤ５３からＴＶ５１に対するワンタッチプレイ動作は、図１３を用いて説明した従来例と同様であるので、ここでは説明を省略する。
【０１４９】
このようにすることにより、ユーザは、プロジェクター５２の電源状態をオフ状態にしておくことで、ＢＤプレーヤ５３が再生するコンテンツを、常にＴＶ５１で自動的に視聴することができる。
【０１５０】
以上のように動作させることにより、ＢＤプレーヤ５３でコンテンツの再生を開始したときに、常にユーザが視聴したい表示装置に対して、自動的にワンタッチプレイを実施することができる。
【０１５１】
次に、図９を用いて、本発明の実施の形態２におけるＡＶネットワークシステムにおいて、プロジェクターでコンテンツを視聴中に、プロジェクターの電源状態がオフ状態にされた場合の動作を説明する。なお、図９は、本発明の実施の形態２におけるＡＶネットワークシステムを構成するプロジェクターでコンテンツを視聴中にプロジェクターの電源状態がオフ状態にされた場合の動作シーケンスを示す図である。
【０１５２】
図９において、すでに、ＢＤプレーヤ５３とプロジェクター５２との間でＨＲＰのコネクションが確立しており、ＢＤプレーヤ５３からプロジェクター５２に対して映像音声データが送信されており、ユーザは、ＢＤプレーヤ５３から送信されてくる映像音声データ（コンテンツ）をプロジェクター５２のコンテンツ表示部１２ｄにて視聴中の状態にあるものとする。
【０１５３】
このような状態において、プロジェクター５２の制御コマンド処理部１２ｃは、自装置の電源状態がオフ状態にされると、まずＢＤプレーヤ５３との間のＨＲＰのコネクションを切断する。その後、制御コマンド処理部１２ｃは、ＢＤプレーヤ５３に対して電源状態がオフ状態になったことを示す電源状態通知コマンド"オフ"を送信する。
【０１５４】
ＢＤプレーヤ５３の制御コマンド処理部１３ｂは、プロジェクター５２から電源状態がオフ状態になったことを示す電源状態通知コマンドを受信すると、上述したと同様のワンタッチプレイ動作を実施する。このとき、プロジェクター５２の電源状態はオフ状態であるため、この場合のワンタッチプレイ動作は、図８と同様の動作シーケンスとなる。
【０１５５】
ただし、この際、ＢＤプレーヤ５３の制御コマンド処理部１３ｂは、プロジェクター５２の電源状態がオフ状態であることを知っているので、プロジェクター５２に対して電源状態確認コマンドを送信しなくてもよい（勿論、送信してもよい）。
【０１５６】
その結果、ＴＶ５１の電源状態がオフ状態であれば、ＢＤプレーヤ５３からの電源オン要求コマンドによってオン状態になるので、ＢＤプレーヤ５３が再生するコンテンツの映像音声データは、ＴＶ５１の表示装置（図示せず）に出力される。
【０１５７】
以上のように動作させることにより、プロジェクター５２の電源状態をオフ状態にしたときに、自動的にＴＶ５１の電源状態をオン状態にすることができるので、ＢＤプレーヤ５３が再生するコンテンツを、プロジェクター５２からＴＶ５１に自動的に切り替えて視聴することができる。
【０１５８】
なお、図９に示す実施の形態においては、プロジェクター５２が、ＢＤプレーヤ５３に対して、電源状態がオフ状態になったことを示す電源状態通知コマンドを送信する場合を例に挙げたが、これに限るものではなく、例えば、プロジェクター５２が、ＢＤプレーヤ５３に対して、ＢＤプレーヤ５３に再度ワンタッチプレイ動作を実施させる電源状態通知コマンドとは異なる制御コマンドを送信するようにしても構わない。
【０１５９】
また、本発明の実施の形態２におけるＡＶネットワークシステムにおいて、ＴＶ５１、プロジェクター５２およびＢＤプレーヤ５３の接続形態や優先度の設定は一例であり、これらに限定されるものではない。
【０１６０】
また、図６に示す各表示装置の優先度の設定は、すでに説明したように一例に過ぎない。すなわち、ユーザは、プロジェクター５２の電源状態がオン状態のときはプロジェクター５２を、プロジェクター５２の電源状態がオフ状態のときはＴＶ５１を、それぞれ使用するものと想定して設定したものである。すなわち、別の使用ケースを想定する場合には、異なる優先度の設定を行ってもよい。例えば、プロジェクター５２が通信ネットワーク上に存在する場合は、プロジェクター５２の電源状態がオン状態であるかオフ状態であるかにかかわらずプロジェクター５２で視聴することを所望する場合には、プロジェクター５２の優先度を、電源状態にかかわらず常に"１"を設定しておけばよい。
【０１６１】
また、本発明の実施の形態２においては、優先度は、電源状態がオン状態であるかオフ状態であるかに対応して設定したが、電源状態以外の条件に対応した優先度を設定するようにしても構わない。ただしこの場合は、ＢＤプレーヤ５３は、コンテンツの再生開始時に、各表示装置の電源状態に関する情報だけでなく、優先度を特定するために必要な情報の取得を行うようにする必要がある。
【０１６２】
また、本発明の実施の形態２においては、ＢＤプレーヤ５３は、まず、プロジェクター５２に対して優先度一覧取得コマンドおよび電源状態確認コマンドを送ったが、優先度一覧取得コマンドおよび電源状態確認コマンドを送る順序はこれに限るものではなく、ＴＶ５１に対して先に送っても構わない。
【０１６３】
また、本発明の実施の形態２においては、再生装置であるＢＤプレーヤ５３は、表示装置であるＴＶ５１およびプロジェクター５２から、それぞれ送信した優先度一覧取得コマンドに対応する優先度一覧通知コマンド、あるいは、電源状態確認コマンドに対応する電源状態通知コマンドがすべて受信できる場合を例に挙げて説明したが、これに限るものではない。例えば、ＢＤプレーヤ５３は、ある表示装置（ここでは、ＴＶ５１とする）に対して優先度一覧取得コマンド、あるいは、電源状態確認コマンドを送信した後、ＴＶ５１から所定の時間内に優先度一覧通知コマンド、あるいは、電源状態通知コマンドを受信できない場合は、ＴＶ５１を無視して次の動作に移行するように構成しても構わない。但し、この場合、ＢＤプレーヤ５３は、ＴＶ５１以外の表示装置から受信した優先度一覧通知コマンドおよび電源状態通知コマンドを基に、最も優先度の高い表示装置を判定して選択することになる。
【０１６４】
また、本発明の実施の形態２においては、ＢＤプレーヤ５３は、ワンタッチプレイを実施することを決定した表示装置（ＴＶ５１もしくはプロジェクター５２）に対して、当該表示装置の電源状態がオン状態であるかオフ状態であるかにかかわらず電源オン要求コマンドを送信したが、電源オン要求コマンドを送信する前に、当該表示装置の電源状態を確認し、当該表示装置の電源状態がオフ状態の場合のみ、電源オン要求コマンドを送信するようにしても構わない。
【０１６５】
また、ＢＤプレーヤ５３は、ワンタッチプレイを実施することを決定した表示装置（ＴＶ５１もしくはプロジェクター５２）に対し、電源オン要求コマンドを送信した後に当該表示装置の電源状態を確認し、当該表示装置の電源状態がオン状態になるまでコンテンツの再生を開始せずに待機するようにしてもよい。この場合、当該表示装置の電源状態の確認は、例えば、数秒ごとに行うようにすればよい。
【０１６６】
また、本発明の実施の形態２においては、ＢＤプレーヤ５３は、ワンタッチプレイを実施することを決定した表示装置に対して、映像音声データを出力するとしたが、映像データのみであっても構わない。
【０１６７】
また、本発明の実施の形態２においては、ＢＤプレーヤ５３は、所定のタイミングとしてＢＤプレーヤ５３の電源状態がオン状態になったタイミングを例に挙げて説明したが、このタイミングに限るものではなく、例えば、ＢＤプレーヤ５３がコンテンツの再生を開始したタイミング、または、再生するコンテンツをユーザに選択させるためのメニューを表示したタイミングでワンタッチプレイ動作を実施するようにしても構わない。
【０１６８】
また、本発明の実施の形態２においては、再生装置としてＢＤプレーヤ５３が１つの場合を例に挙げて説明したが、これに限るものではなく、例えば、ＢＤレコーダやＳＴＢなどであっても構わないし、また、１つではなく複数存在しても構わない。
【０１６９】
また、本発明の実施の形態２においては、表示装置としてＴＶ５１およびプロジェクター５２の２つの表示装置が存在する場合を例に挙げて説明したが、これに限るものではなく、他の表示装置であっても構わないし、同じ種類の表示装置が複数存在するような状態であっても構わないし、３つ以上表示装置が存在するような状態であっても構わない。
【０１７０】
また、本発明の実施の形態２においては、ＢＤプレーヤ５３とＴＶ５１およびプロジェクター５２とは、無線通信ネットワークを用いて映像データや制御コマンドの伝送を行う場合、すなわち、通信部１１ａ、１２ａ、１３ａが無線通信インタフェースである場合を例に挙げて説明したが、これに限るものではなく、他の通信ネットワーク（他の形式の無線通信ネットワーク、又は優先通信ネットワーク等）、すなわち、他のインタフェースを用いても構わない。
【０１７１】
（その他変形例）
なお、本発明を上記実施の形態に基づいて説明してきたが、本発明は、上記の実施の形態に限定されないのはもちろんである。以下のような場合も本発明に含まれる。
【０１７２】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１７３】
上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶さている。マイクロプロセッサが、コンピュータプログラムにしたがって動作することにより、システムＬＳＩは、その機能を達成する。
【０１７４】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０１７５】
本発明は、上記に示す方法であるとしてもよい。また、これらの方法をコンピュータにより実現するコンピュータプログラムであるとしてもよいし、コンピュータプログラムからなるデジタル信号であるとしてもよい。
【０１７６】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０１７７】
また、本発明は、コンピュータプログラムまたはデジタル信号を、電気通信回線、無線または有線通信回線、インターネットを代表とするネットワーク、データ放送等を経由して伝送するものとしてもよい。
【０１７８】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【０１７９】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１８０】
上記実施の形態及び上記変形例をそれぞれ組み合わせてもよい。
【０１８１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０１８２】
本発明は、通信ネットワークで接続される再生装置と複数の表示装置とで構成されるホームシアターなどのＡＶネットワークシステムに適用することができる。
【符号の説明】
【０１８３】
１１，５１，９１，１１１  ＴＶ
１１ａ，１２ａ，１３ａ  通信部
１１ｂ，１２ｂ  優先度保持部
１１ｃ，１２ｃ，１３ｂ  制御コマンド処理部
１１ｄ，１２ｄ  コンテンツ表示部
１２，５２，１１４  プロジェクター
１３，５３，９２，１１２  ＢＤプレーヤ
１３ｃ  コンテンツ送信部
９３，１１３  ＳＴＢ
９４，９５  ＨＤＭＩケーブル
【図１】
2011070720.tif 000003
【図２】
2011070720.tif 000004
【図３】
2011070720.tif 000005
【図４】
2011070720.tif 000006
【図５】
2011070720.tif 000007
【図６】
2011070720.tif 000008
【図７】
2011070720.tif 000009
【図８】
2011070720.tif 000010
【図９】
2011070720.tif 000011
【図１０】
2011070720.tif 000012
【図１１】
2011070720.tif 000013
【図１２】
2011070720.tif 000014
【図１３】
2011070720.tif 000015
【図１４】
2011070720.tif 000016
【図１５】
2011070720.tif 000017
【手続補正書】
【提出日】平成23年7月29日(2011.7.29)
【手続補正１】
【補正対象書類名】明細書
【補正対象項目名】全文
【補正方法】変更
【補正の内容】
【発明の詳細な説明】
【技術分野】
【０００１】
本発明は、再生装置、特に、通信ネットワークによって接続された複数の表示装置のいずれかに対してコンテンツを送信する再生装置に関するものである。
【背景技術】
【０００２】
近年、ＡＶ（Ａｕｄｉｏ  ａｎｄ  Ｖｉｓｕａｌ）機器の高画質化および高音質化が進み、一般家庭においても、ＢＤ（Ｂｌｕ−ｒａｙ  Ｄｉｓｃ）プレーヤやＳＴＢ（Ｓｅｔ  Ｔｏｐ  Ｂｏｘ）などが普及し、いわゆるＨＤ（Ｈｉｇｈ  Ｄｅｆｉｎｉｔｉｏｎ）映像を楽しむことができるようになってきた。
【０００３】
また、ネットワークやＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などの普及に伴い、複数のＡＶ機器が互いに連携した動作を行うことで、様々な付加機能を提供するいわゆるリンク機能が普及してきている。
【０００４】
このリンク機能の中には、例えば、ＢＤプレーヤがコンテンツの再生を開始したときに、自動的にテレビやＡＶアンプの電源状態がオン状態になり、テレビやＡＶアンプの入力がＢＤプレーヤ側に切り替わる。これにより、いちいちテレビやＡＶアンプの操作をしなくても、簡単にＢＤプレーヤが再生しているコンテンツを視聴できる機能がある。一般的に、こうした機能はワンタッチプレイと呼ばれている。
【０００５】
このワンタッチプレイなどのリンク機能を実現するために、非特許文献１に開示されているＨＤＭＩ規格では、ＣＥＣ（Ｃｏｎｓｕｍｅｒ  Ｅｌｅｃｔｒｏｎｉｃｓ  Ｃｏｎｔｒｏｌ）という機器制御用のプロトコルが規定されている。
【０００６】
ここで、図１０および図１１を用いて、従来のＨＤＭＩで接続されたＡＶネットワークシステムにおけるワンタッチプレイの動作の一例について説明する。なお、図１０は、従来の一般的なＡＶネットワークシステムの構成の一例を示す図である。図１１は、従来の一般的なＡＶネットワークシステムにおけるＢＤプレーヤの再生開始時のＣＥＣコマンドシーケンスの一例を示す図である。
【０００７】
図１０において、ＴＶ９１は、２個のＨＤＭＩ入力（ＨＤＭＩ入力１、ＨＤＭＩ入力２）を有しており、ＴＶ９１のＨＤＭＩ入力１とＢＤプレーヤ９２とがＨＤＭＩケーブル９４により接続され、ＴＶ９１のＨＤＭＩ入力２とＳＴＢ９３とがＨＤＭＩケーブル９５により接続されている。
【０００８】
再生装置（ここでは、ＢＤプレーヤ９２およびＳＴＢ９３）を変更する場合には、ユーザは、通常はＴＶ９１の入力を手動で切り替える必要があった。しかしながら、各機器がＣＥＣに対応していれば、ＣＥＣコマンドを用いることで、自動的に入力切替を実施することができる。
【０００９】
例えば、ＢＤプレーヤ９２がコンテンツの再生を開始すると、図１１に示すように、まずＢＤプレーヤ９２は、ＴＶ９１に対して、＜Ｔｅｘｔ  Ｖｉｅｗ  Ｏｎ＞コマンドを送信する。ＴＶ９１は、ＢＤプレーヤ９２から＜Ｔｅｘｔ  Ｖｉｅｗ  Ｏｎ＞コマンドを受信すると、電源状態がオフ状態であればオン状態に切り替える。
【００１０】
次に、ＢＤプレーヤ９２は、ＨＤＭＩで接続されている全機器に向けて＜Ａｃｔｉｖｅ  Ｓｏｕｒｃｅ＞コマンドを送信する。ＴＶ９１は、＜Ａｃｔｉｖｅ  Ｓｏｕｒｃｅ＞コマンドを受信すると、＜Ａｃｔｉｖｅ  Ｓｏｕｒｃｅ＞コマンドの送信元であるＢＤプレーヤ９２が接続されているＨＤＭＩ入力１に切り替える。このように動作させることにより、ユーザが手動でＴＶ９１の入力切替を実施しなくても、ＢＤプレーヤ９２が再生するコンテンツを、ＴＶ９１で視聴することができる。
【００１１】
また、ＳＴＢ９３が出力するコンテンツを視聴したい場合は、ＳＴＢ９３が図１１におけるＢＤプレーヤ９２と同様の動作を実行することで、ユーザが手動でＴＶ９１の入力切替を実施しなくても、ＴＶ９１でＳＴＢ９３が出力するコンテンツを視聴することができる。
【００１２】
以上のようにして、機器制御用のプロトコルであるＣＥＣコマンドを用いることで、ワンタッチプレイを実現することができる。
【００１３】
一方、特許文献１においては、ＨＤＭＩのような有線通信インタフェースの代わりに、無線通信インタフェースでＴＶやＢＤプレーヤを接続したネットワークにおいて、ワンタッチプレイを実現するための技術が開示されている。
【００１４】
次に、図１２〜図１５を用いて、無線通信インタフェースで接続されたＡＶネットワークシステムにおけるワンタッチプレイの動作について説明する。なお、図１２は、従来の無線通信インタフェースを用いた一般的なＡＶネットワークシステムの構成を示す図である。また、図１３は、従来の無線通信インタフェースを用いた一般的なＡＶネットワークシステムにおけるＢＤプレーヤの再生開始時の動作シーケンスの一例を示す図である。また、図１４は、従来の無線通信インタフェースを用いた２台の表示装置が存在する場合のＡＶネットワークシステムの構成を示す図である。また、図１５は、従来の無線通信インタフェースを用いた２台の表示装置が存在する場合のＡＶネットワークシステムにおいて、プロジェクターでコンテンツを視聴する場合のＢＤプレーヤの再生開始時の動作シーケンスの一例を示す図である。
【００１５】
図１２において、ＴＶ１１１は、無線入力部Ｃを有しており、ＢＤプレーヤ１１２の無線出力部Ａ、もしくは、ＳＴＢ１１３の無線出力部Ｂのいずれかと接続して、通信を行うことができる。
【００１６】
次に、図１３を用いて、ＢＤプレーヤ１１２がコンテンツの再生を開始したときのワンタッチプレイ動作について説明する。
【００１７】
図１３において、ＢＤプレーヤ１１２がコンテンツの再生を開始すると、まず、ＢＤプレーヤ１１２は、ＴＶ１１１に対し、ＬＲＰ（Ｌｏｗ−Ｒａｔｅ  Ｐｈｙｓｉｃａｌ  ｌａｙｅｒ）を通じて電源オン要求コマンドを送信する。
【００１８】
ＴＶ１１１は、ＢＤプレーヤ１１２からＬＲＰを通じて電源オン要求コマンドを受信すると、その時の電源状態がオン状態であればそのままオン状態を維持し、オフ状態であればオン状態に切り替える。
【００１９】
次に、ＢＤプレーヤ１１２は、ＴＶ１１１に対し、ＨＲＰ（Ｈｉｇｈ−Ｒａｔｅ  Ｐｈｙｓｉｃａｌ  ｌａｙｅｒ）のコネクション確立処理を実施する。コネクション確立処理としては、一般的には、映像、音声およびデータの送信機器（この場合、ＢＤプレーヤ１１２）と受信機器（この場合、ＴＶ１１１）の確定や、無線通信の帯域確保などが含まれる。
【００２０】
ＴＶ１１１は、ＢＤプレーヤ１１２との間でＨＲＰのコネクションが確立されると、無線入力部Ｃを無線出力部Ａ（ＢＤプレーヤ１１２）側に切り替える。これにより、ユーザは、手動でＴＶ１１１の入力切替を実施しなくても、ＢＤプレーヤ１１２で再生されるコンテンツを、ＴＶ１１１で視聴することができる。
【００２１】
ＢＤプレーヤ１１２で再生されるコンテンツを、ＴＶ１１１で視聴するのをやめる場合には、ＴＶ１１１もしくはＢＤプレーヤ１１２のいずれかが、ＨＲＰのコネクション切断処理を実施する。このコネクション切断処理としては、無線通信の帯域解放などが含まれる。
【００２２】
一方、ＳＴＢ１１３から出力されるコンテンツを視聴したい場合には、ＳＴＢ１１３が図１３に示すＢＤプレーヤ１１２と同様の動作を実行することで、ユーザが手動でＴＶ１１１の入力切替を実施しなくても、ＳＴＢ１１３が出力するコンテンツをＴＶ１１１で視聴することができる。
【００２３】
以上のようにして、無線通信インタフェースで接続されたＡＶ機器において、ワンタッチプレイを実現することができる。
【００２４】
また、無線通信インタフェースの中には、図１４に示すように、複数の表示装置（ここでは、ＴＶ１１１とプロジェクター１１４）が同時にネットワーク上に存在できるものがある。
【００２５】
このような場合、ＢＤプレーヤ１１２は、図１３に示す動作シーケンスに基づきＴＶ１１１に対するワンタッチプレイを実施することもでき、また、図１５に示す動作シーケンスに基づきプロジェクター１１４に対するワンタッチプレイを実施することもできる。
【００２６】
なお、図１５におけるプロジェクター１１４の動作は、図１３におけるＴＶ１１１の動作と同様であるので、ここでは説明を省略する。
【先行技術文献】
【特許文献】
【００２７】
【特許文献１】特開２００８−２５２９２９号公報
【非特許文献】
【００２８】
【非特許文献１】ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ）
【発明の概要】
【発明が解決しようとする課題】
【００２９】
しかしながら、図１４に示すように、複数の表示装置が存在するＡＶネットワークシステムにおいて、例えば、ＢＤプレーヤ１１２がコンテンツの再生を開始した場合、ＢＤプレーヤ１１２が意図した表示装置に対してワンタッチプレイを実施できるのか、若しくはできないのかが分からないという課題があった。例えば、ＢＤプレーヤ１１２が常にＴＶ１１１に対してワンタッチプレイを実施するとした場合、ユーザは、ＴＶ１１１でコンテンツを視聴したい場合は問題ないが、プロジェクター１１４でコンテンツ視聴したい場合にも、勝手にＴＶ１１１の電源状態がオン状態になり、ＢＤプレーヤ１１２から送信されるコンテンツは、プロジェクター１１４ではなくＴＶ１１１に表示されることになる。
【００３０】
本発明は、このような課題に鑑みてなされたものであり、再生装置と複数の表示装置とが存在するＡＶネットワークシステムにおいて、再生装置で再生されたコンテンツを、ユーザが所望する表示装置に自動的に表示させることのできる再生装置を提供することを目的とする。
【課題を解決するための手段】
【００３１】
本発明の一形態に係る再生装置は、通信ネットワークを介して接続されている複数の表示装置のうちのいずれかに対して、コンテンツを送信する。具体的には、前記複数の表示装置それぞれは、前記再生装置から受信したコンテンツを表示する優先順位であって、前記複数の表示装置のうちの該表示装置の優先順位を示す優先度を、当該表示装置の取り得る複数の動作状態のそれぞれに対応付けて、複数保持している。該再生装置は、前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択部と、前記選択部で選択された表示装置に対して、前記コンテンツを送信するコンテンツ送信部とを備える。
【００３２】
上記構成のように、優先度の高い表示装置を選択してコンテンツを送信することにより、再生装置で再生されたコンテンツを、自動的にユーザが所望する表示装置で表示することが可能となる。
【００３３】
一例として、前記複数の表示装置それぞれは、当該表示装置の取り得る複数の動作状態のそれぞれに対応付けて、複数の優先度を保持していてもよい。そして、前記選択部は、前記複数の表示装置それぞれの現在の動作状態に対応付けられた優先度のみを取得してもよい。
【００３４】
また、前記選択部は、選択した表示装置の動作状態が変更したことを検出したタイミングで、再度、前記複数の表示装置それぞれの現在の動作状態に対応付けられた優先度を取得し、前記複数の表示装置のうち、最も高い優先度を保持している表示装置を新たに選択してもよい。
【００３５】
さらに、前記選択部は、直前に選択されていた表示装置を除く他の表示装置のうち、最も高い優先度を保持している表示装置を新たに選択してもよい。
【００３６】
さらに、前記選択部は、選択した表示装置に対して、当該表示装置の電源状態をオン状態にするための電源オン要求コマンドを送信し、且つ当該表示装置との間でコネクションを確立する処理を実行してもよい。そして、前記コンテンツ送信部は、確立したコネクションを通じて前記コンテンツを送信してもよい。
【００３７】
さらに、前記選択部は、選択した表示装置に対して、現在の電源状態を確認するための電源状態確認コマンドを送信し、前記電源状態確認コマンドの応答として受信した電源状態通知コマンドに、当該表示装置の現在の電源状態がオフ状態であることを示す値が設定されている場合に、前記電源オン要求コマンドを送信してもよい。
【００３８】
さらに、前記選択部は、選択した表示装置に対して、現在の電源状態を確認するための電源状態確認コマンドを送信し、前記電源状態確認コマンドの応答として受信した電源状態通知コマンドに、当該表示装置の現在の電源状態がオン状態であることを示す値が設定されていることを確認した後に、前記コネクションを確立する処理を開始してもよい。
【００３９】
また、前記選択部は、該再生装置の電源状態がオン状態となったタイミング、該再生装置で再生するコンテンツをユーザに選択させるタイミング、又は該再生装置が前記コンテンツの再生を開始したタイミングのいずれかで、前記複数の表示装置のうち、最も高い優先度を保持している表示装置を選択する処理を実行してもよい。
【００４０】
一例として、前記通信ネットワークは、ＷｉｒｅｌｅｓｓＨＤ（Ｈｉｇｈ  Ｄｅｆｉｎｉｔｉｏｎ）であってもよい。そして、前記選択部は、ＬＲＰ（Ｌｏｗ−Ｒａｔｅ  Ｐｈｙｓｉｃａｌ  ｌａｙｅｒ）を通じて前記優先度を取得し、前記コンテンツ送信部は、ＨＲＰ（Ｈｉｇｈ−Ｒａｔｅ  Ｐｈｙｓｉｃａｌ  ｌａｙｅｒ）を通じてコンテンツを送信してもよい。
【００４１】
他の例として、前記複数の表示装置それぞれは、当該表示装置の取り得る複数の動作状態のそれぞれに対応付けて、複数の優先度を保持していてもよい。そして、前記選択部は、前記複数の表示装置それぞれから、当該表示装置が保持している前記複数の優先度と、当該表示装置の現在の動作状態とを取得し、取得した前記複数の表示装置のうち、現在の動作状態に対応付けられた優先度が最も高い表示装置を選択してもよい。
【００４２】
本発明の一形態に係る表示装置は、通信ネットワークを介して再生装置に接続されている複数の表示装置のうちの一の表示装置であって、前記再生装置から受信したコンテンツを表示する。具体的には、前記再生装置から受信したコンテンツを表示する優先順位であって、前記複数の表示装置のうちの該表示装置の優先順位を示す優先度を、当該表示装置の取り得る複数の動作状態のそれぞれに対応付けて、複数保持する優先度保持部と、前記再生装置からの要求に応じて、前記優先度保持部に保持されている複数の優先度のうち、当該表示装置の現在の動作状態に対応付けられた優先度のみを、前記通信ネットワークを通じて前記再生装置に通知する通知部と、前記再生装置から受信したコンテンツを表示する表示部とを備える。
【００４３】
また、前記優先度保持部は、該表示装置の複数の電源状態それぞれに対応付けられた複数の優先度を保持していてもよい。そして、オン状態に対応付けられる優先度は、オフ状態に対応付けられる優先度より高くてもよい。
【００４４】
本発明の一形態に係るＡＶネットワークシステムは、再生装置と、通信ネットワークを介して前記再生装置に接続されている複数の表示装置とを備え、前記再生装置から前記通信ネットワークを通じて送信されたコンテンツを前記複数の表示装置のうちのいずれかで表示する。前記表示装置は、前記再生装置から受信したコンテンツを表示する優先順位であって、前記複数の表示装置のうちの該表示装置の優先順位を示す優先度を、当該表示装置の取り得る複数の動作状態のそれぞれに対応付けて、複数保持する優先度保持部と、前記再生装置からの要求に応じて、前記優先度保持部に保持されている複数の優先度のうち、当該表示装置の現在の動作状態に対応付けられた優先度のみを、前記通信ネットワークを通じて前記再生装置に通知する通知部と、前記再生装置から受信したコンテンツを表示する表示部とを備える。前記再生装置は、前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択部と、前記選択部で選択された表示装置に対して、前記コンテンツを送信するコンテンツ再生部とを備える。
【００４５】
本発明の一形態に係る再生方法は、通信ネットワークを介して接続されている複数の表示装置のうちのいずれかに対して、コンテンツを送信する方法である。具体的には、前記複数の表示装置それぞれは、受信したコンテンツを表示する優先順位であって、前記複数の表示装置のうちの該表示装置の優先順位を示す優先度を、当該表示装置の取り得る複数の動作状態のそれぞれに対応付けて、複数保持している。該再生方法は、前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択ステップと、前記選択ステップで選択された表示装置に対して、前記コンテンツを送信するコンテンツ送信ステップとを含む。
【００４６】
本発明の一形態に係るプログラムは、コンピュータに、通信ネットワークを介して接続されている複数の表示装置のうちのいずれかに対して、コンテンツを送信させる。具体的には、前記複数の表示装置それぞれは、受信したコンテンツを表示する優先順位であって、前記複数の表示装置のうちの該表示装置の優先順位を示す優先度を、当該表示装置の取り得る複数の動作状態のそれぞれに対応付けて、複数保持している。該プログラムは、前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択ステップと、前記選択ステップで選択された表示装置に対して、前記コンテンツを送信するコンテンツ送信ステップとを、コンピュータに実行させる。
【００４７】
本発明の一形態に係る集積回路は、通信ネットワークを介して接続されている複数の表示装置のうちのいずれかに対して、コンテンツを送信する。具体的には、前記複数の表示装置それぞれは、受信したコンテンツを表示する優先順位であって、前記複数の表示装置のうちの該表示装置の優先順位を示す優先度を、当該表示装置の取り得る複数の動作状態のそれぞれに対応付けて、複数保持している。該集積回路は、前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択部と、前記選択部で選択された表示装置に対して、前記コンテンツを送信するコンテンツ送信部とを備える。
【発明の効果】
【００４８】
本発明によれば、優先度の高い表示装置を選択してコンテンツを送信することにより、再生装置で再生されたコンテンツを、ユーザが所望する表示装置で表示することが可能となる。
【図面の簡単な説明】
【００４９】
【図１】図１は、本発明の実施の形態１に係る表示装置及び再生装置の機能ブロック図である。
【図２】図２は、本発明の実施の形態１に係る表示装置および再生装置を備えるＡＶネットワークシステムの構成の一例を示す図である。
【図３】図３は、本発明の実施の形態１に係る表示装置であるプロジェクターの電源状態がオン状態のときの、本発明の実施の形態１に係る再生装置であるＢＤプレーヤからのワンタッチプレイ動作のシーケンスを示す図である。
【図４】図４は、本発明の実施の形態１に係る表示装置であるプロジェクターの電源状態がオフ状態のときの、本発明の実施の形態１に係る再生装置であるＢＤプレーヤからのワンタッチプレイ動作のシーケンスを示す図である。
【図５】図５は、本発明の実施の形態１におけるＡＶネットワークシステムを構成するプロジェクターでコンテンツを視聴中にプロジェクターの電源状態がオフ状態にされた場合の動作シーケンスを示す図である。
【図６】図６は、本発明の実施の形態２に係る表示装置および再生装置を備えるＡＶネットワークシステムの構成の一例を示す図である。
【図７】図７は、本発明の実施の形態２に係る表示装置であるプロジェクターの電源状態がオン状態のときの、本発明の実施の形態２に係る再生装置であるＢＤプレーヤからのワンタッチプレイ動作のシーケンスを示す図である。
【図８】図８は、本発明の実施の形態２に係る表示装置であるプロジェクターの電源状態がオフ状態のときの、本発明の実施の形態２に係る再生装置であるＢＤプレーヤからのワンタッチプレイ動作のシーケンスを示す図である。
【図９】図９は、本発明の実施の形態２におけるＡＶネットワークシステムを構成するプロジェクターでコンテンツを視聴中にプロジェクターの電源状態がオフ状態にされた場合の動作シーケンスを示す図である。
【図１０】図１０は、従来の一般的なＡＶネットワークシステムの構成の一例を示す図である。
【図１１】図１１は、従来の一般的なＡＶネットワークシステムにおけるＢＤプレーヤの再生開始時のＣＥＣコマンドシーケンスの一例を示す図である。
【図１２】図１２は、従来の無線通信インタフェースを用いた一般的なＡＶネットワークシステムの構成を示す図である。
【図１３】図１３は、従来の無線通信インタフェースを用いた一般的なＡＶネットワークシステムにおけるＢＤプレーヤの再生開始時の動作シーケンスの一例を示す図である。
【図１４】図１４は、従来の無線通信インタフェースを用いた２台の表示装置が存在する場合のＡＶネットワークシステムの構成を示す図である。
【図１５】図１５は、従来の無線通信インタフェースを用いた２台の表示装置が存在する場合のＡＶネットワークシステムにおいて、プロジェクターでコンテンツを視聴する場合のＢＤプレーヤの再生開始時の動作シーケンスの一例を示す図である。
【発明を実施するための形態】
【００５０】
以下に、本発明を実施するための形態について、図面を参照しながら説明する。
【００５１】
（実施の形態１）
図１〜図４を用いて、本発明の実施の形態１に係るＡＶネットワークシステムの構成、及びワンタッチプレイ動作について説明する。なお、図１は、本発明の実施の形態１に係る再生装置及び表示装置の機能ブロック図である。また、図２は、本発明の実施の形態１に係るＡＶネットワークシステムの構成の一例を示す図である。また、図３は、本発明の実施の形態１に係る表示装置であるプロジェクターの電源状態がオン状態のときの、本発明の実施の形態１に係る再生装置であるＢＤプレーヤからのワンタッチプレイ動作のシーケンスを示す図である。また、図４は、本発明の実施の形態１に係る表示装置であるプロジェクターの電源状態がオフ状態のときの、本発明の実施の形態１に係る再生装置であるＢＤプレーヤからのワンタッチプレイ動作のシーケンスを示す図である。
【００５２】
図１及び図２において、本発明の実施の形態１に係るＡＶネットワークシステムは、再生装置であるＢＤプレーヤ１３と、ＢＤプレーヤ１３とはそれぞれ無線通信ネットワークで接続されている表示装置であるＴＶ１１およびプロジェクター１２とで構成されている。このように、本発明の実施の形態１に係るＡＶネットワークシステムは、１台の再生装置と、複数台の表示装置とで構成される。
【００５３】
表示装置であるＴＶ１１およびプロジェクター１２は、無線通信ネットワークを介して、再生装置であるＢＤプレーヤ１３から映像データまたは映像音声データを受信するとともに、ＢＤプレーヤ１３との間で制御コマンドの送受信を行うことができる。また、ＢＤプレーヤ１３との間でコネクションを確立している場合は、受信している映像データまたは映像音声データを表示することができる。さらに、ＢＤプレーヤ１３と無線通信ネットワークで接続されている全ての表示装置を対象に割り振られた表示優先度（以下、優先度と称す）に関する情報の内、自装置の優先度に関する情報を保持している。
【００５４】
具体的には、ＴＶ１１は、図１に示されるように、通信部１１ａと、優先度保持部１１ｂと、制御コマンド処理部１１ｃと、コンテンツ表示部１１ｄとを備える。同様に、プロジェクター１２は、通信部１２ａと、優先度保持部１２ｂと、制御コマンド処理部１２ｃと、コンテンツ表示部１２ｄとを備える。なお、ＴＶ１１とプロジェクター１２との各構成要素の動作は共通するので、以下、ＴＶ１１の構成要素の説明のみを行う。
【００５５】
通信部１１ａは、ＨＤＭＩ規格に準拠した方式で無線通信を行う通信インタフェースである。具体的には、ＨＲＰ（Ｈｉｇｈ  Ｒａｔｅ  ＰＨＹ）とＬＲＰ（Ｌｏｗ  Ｒａｔｅ  ＰＨＹ）とを必要に応じて切り替えて、無線伝送を行う。ＨＲＰは、４．０Ｇ（ｂｐｓ）の帯域を持ち、一方向（ＢＤプレーヤ１３からＴＶ１１に向かう方向）のみの無線伝送が可能である。一方、ＬＲＰは、４０Ｍ（ｂｐｓ）の帯域を持ち、双方向の無線伝送が可能である。
【００５６】
実施の形態１においては、ＢＤプレーヤ１３からＴＶ１１（又はプロジェクター１２）に、ＨＲＰを用いて映像音声データ（コンテンツデータ）を無線伝送する。一方、ＢＤプレーヤ１３とＴＶ１１（又はプロジェクター１２）との間で、ＬＲＰを用いてＣＥＣ（Ｃｏｎｓｕｍｅｒ  Ｅｌｅｃｔｒｏｎｉｃｓ  Ｃｏｎｔｒｏｌ）メッセージ等の制御コマンドを相互に無線伝送する。
【００５７】
優先度保持部１１ｂは、ＡＶネットワークに接続されている複数の表示装置（ＴＶ１１及びプロジェクター１２）内におけるコンテンツを表示する優先順位であって、ＴＶ１１の優先順位を示す優先度を保持している。言い換えれば、ＡＶネットワークシステムに接続されている複数の表示装置（この例では、ＴＶ１１及びプロジェクター１２）それぞれに割り当てられている優先順位のうち、自装置（ＴＶ１１）に割り当てられている優先順位を示す情報（優先度）が保持されている。
【００５８】
なお、優先度保持部１１ｂは、表示装置の取り得る複数の動作状態それぞれに対応付けて、複数の優先度を保持していてもよい。ここでの動作状態とは、例えば、電源状態（オン状態又はオフ状態）、或いは他機器との通信状態（通信状態又は非通信状態）等が該当する。
【００５９】
また、優先度保持部１１ｂは、例えば、ＤＲＡＭ（Ｄｙｎａｍｉｃ  ｒａｎｄｏｍ  ａｃｃｅｓｓ  ｍｅｍｏｒｙ）、ＳＤＲＡＭ（Ｓｙｎｃｈｒｏｎｏｕｓ  ｄｙｎａｍｉｃ  ｒａｎｄｏｍ  ａｃｃｅｓｓ  ｍｅｍｏｒｙ）、フラッシュメモリ、又は強誘電体メモリ等のデータを記録可能な手段であればどのようなものを利用しても構わない。
【００６０】
制御コマンド処理部（通知部）１１ｃは、ＢＤプレーヤ１３から送信される制御コマンドを通信部１１ａを通じて受信すると共に、制御コマンドを通信部１１ａを通じてＢＤプレーヤ１３に送信する。実施の形態１においては、優先度確認コマンド及び電源オン要求コマンドをＢＤプレーヤ１３から受信し、優先度通知コマンド及び電源状態通知コマンドをＢＤプレーヤ１３に送信する。具体的な処理内容は、後述する。なお、通信部１１ａは、上記の制御コマンドをＬＲＰを用いて送受信するものとする。
【００６１】
より具体的には、ＢＤプレーヤ１３から優先度確認コマンドを受信した場合は、優先度に関する情報をパラメータとして付加した優先度通知コマンドを優先度確認コマンドの送信元である再生装置（ここでは、ＢＤプレーヤ１３）に送信する。また、ＢＤプレーヤ１３から電源オン要求コマンドを受信した場合は、自装置の電源状態をオン状態にする。
【００６２】
一方、再生装置であるＢＤプレーヤ１３は、無線通信ネットワークを介して、表示装置であるＴＶ１１およびプロジェクター１２に対して映像データまたは映像音声データを送信するとともに、ＴＶ１１およびプロジェクター１２との間でそれぞれ制御コマンドの送受信を行うことができる。また、ＴＶ１１およびプロジェクター１２に対して、優先度確認コマンドや電源オン要求コマンドを送信するとともに、ＴＶ１１およびプロジェクター１２から優先度通知コマンドや電源状態通知コマンドを受信することができる。さらに、ＴＶ１１およびプロジェクター１２から受信した優先度通知コマンドを基に、最も優先度の高い表示装置（ここでは、ＴＶ１１もしくはプロジェクター１２）を判定し、選択することができる。
【００６３】
具体的には、ＢＤプレーヤ１３は、通信部１３ａと、制御コマンド処理部１３ｂと、コンテンツ送信部１３ｃとを備える。通信部１３ａの構成は、通信部１１ａと共通するので、再度の説明は省略する。
【００６４】
制御コマンド処理部（選択部）１３ｂは、コンテンツを送信する表示装置を選択する処理を実行する。具体的には、制御コマンド処理部１３ｂは、通信部１３ａを通じて表示装置（ＴＶ１１及びプロジェクター１２）と制御コマンドの送受信を行い、コンテンツを送信する表示装置を選択し、選択した表示装置との間でＨＲＰのコネクション確立処理を実行する。具体的な処理内容は、後述する。
【００６５】
コンテンツ送信部１３ｃは、コンテンツを取得し、取得したコンテンツを再生し、再生して得られた映像音声データを通信部１３ａを通じて選択した表示装置に送信する。なお、コンテンツの取得先は特に限定されないが、例えば、ＢＤプレーヤ１３に挿入されるＢＤ（Ｂｌｕ−ｒａｙ  Ｄｉｓｃ）から取得してもよいし、放送波等から取得してもよい。また、コンテンツの再生とは、例えば、符号化されているコンテンツを復号し、表示装置で表示できる形式のデータ（映像音声データ）に変換すること等を指す。
【００６６】
以上のように構成されたＡＶネットワークシステムにおいて、ＢＤプレーヤ１３の制御コマンド処理部１３ｂは、所定のタイミングで、通信部１３ａを通じて全ての表示装置（ここでは、ＴＶ１１およびプロジェクター１２）に対して優先度確認コマンドを順次送信し、全ての表示装置から優先度通知コマンドを通信部１３ａを通じて受信する。なお、所定のタイミングには、例えば、ＢＤプレーヤ１３の電源状態がオン状態となったタイミング、ＢＤプレーヤ１３で再生するコンテンツをユーザに選択させるタイミング（メニュー画面の表示等）、又はＢＤプレーヤ１３がコンテンツの再生を開始したタイミング等が該当する。
【００６７】
次に、制御コマンド処理部１３ｂは、受信した優先度通知コマンドを基に、優先度の高い表示装置（ここでは、ＴＶ１１もしくはプロジェクター１２）を判定して選択する。そして、制御コマンド処理部１３ｂは、選択した表示装置に対して、電源オン要求コマンドを送信すると共に、表示装置との間でＨＲＰのコネクションを確立する処理を実行することでワンタッチプレイを実現する。
【００６８】
以下に、ＴＶ１１およびプロジェクター１２に割り振られた具体的な優先度に基づくワンタッチプレイ動作について説明する。
【００６９】
図２において、ＴＶ１１およびプロジェクター１２は、それぞれ、優先度保持部１１ｂ、１２ｂにワンタッチプレイの優先度を示す値（優先度情報）を保持している。優先度を示す値は、小さい数値ほど高い優先度を示すものとする。
【００７０】
図２に示すように、ＴＶ１１が保持する優先度は、電源状態がオン状態であるかオフ状態であるかに関係なく"２"である。また、プロジェクター１２が保持する優先度は、電源状態がオン状態の場合が"１"、電源状態がオフ状態の場合が"３"であるとする。
【００７１】
これらの優先度の設定は、プロジェクター１２の電源状態がオン状態のときは、ユーザはプロジェクター１２でコンテンツ視聴しようとしているとみなし、プロジェクター１２の電源状態がオフ状態のときは、ユーザはＴＶ１１でコンテンツを視聴しようとしているとみなして設定したものである。すなわち、優先度を電源状態に対応付ける場合には、プロジェクター１２の場合のように、オン状態に対応付けられる優先度を、オフ状態に対応付けられる優先度より高く設定するのが望ましい。
【００７２】
なお、ここでの電源状態がオン状態とは、表示装置（ＴＶ１１やプロジェクター１２など）が、表示機能など表示装置としての機能を発揮するために必要な電源が供給されている状態（主電源がオンの状態）を意味する。一方、電源状態がオフ状態とは、表示機能など表示装置としての主機能を発揮することはできないが、少なくとも再生装置（ＢＤプレーヤなど）との間で制御コマンド（優先度確認コマンドや優先度通知コマンドなど）の送受信が可能な電源が供給されている状態を意味する。
【００７３】
次に、図３を用いて、プロジェクター１２の初期の電源状態がオン状態のときのワンタッチプレイ動作について説明する。
【００７４】
図３において、例えば、ＢＤプレーヤ１３がコンテンツの再生を開始するタイミングで、まず、ＢＤプレーヤ１３の制御コマンド処理部１３ｂは、プロジェクター１２に対し、優先度確認コマンドを送信する。
【００７５】
プロジェクター１２の制御コマンド処理部１２ｃは、ＢＤプレーヤ１３から優先度確認コマンドを受信すると、その応答として、ＢＤプレーヤ１３に対して優先度通知コマンドを送信する。このとき、プロジェクター１２の電源状態はオン状態であるので、優先度通知コマンドに付加するパラメータは、オン状態のときの優先度を示す"１"である。
【００７６】
続いて、ＢＤプレーヤ１３の制御コマンド処理部１３ｂは、ＴＶ１１に対して優先度確認コマンドを送信する。
【００７７】
ＴＶ１１の制御コマンド処理部１１ｃは、ＢＤプレーヤ１３から優先度確認コマンドを受信すると、その応答として、ＢＤプレーヤ１３に対して優先度通知コマンドを送信する。このとき、ＴＶ１１の優先度は、電源状態がオン状態であるかオフ状態であるかに関わらず"２"であるので、優先度通知コマンドに付加するパラメータは、"２"である。
【００７８】
ＢＤプレーヤ１３の制御コマンド処理部１３ｂは、ＴＶ１１およびプロジェクター１２から受信したそれぞれの優先度通知コマンドに付加されているパラメータ（優先度）を比較し、より優先度が高い表示装置であるプロジェクター１２に対してワンタッチプレイを実施することを決定する。
【００７９】
なお、ＢＤプレーヤ１３からプロジェクター１２に対するワンタッチプレイ動作は、図１５を用いて説明した従来例と同様であるので、ここでは説明を省略する。
【００８０】
このようにすることにより、ユーザは、プロジェクター１２の電源状態をオン状態にしておくことで、ＢＤプレーヤ１３が再生するコンテンツを、常にプロジェクター１２で自動的に視聴することができる。
【００８１】
次に、図４を用いて、プロジェクター１２の初期の電源状態がオフ状態のときのワンタッチプレイ動作について説明する。
【００８２】
図４において、例えば、ＢＤプレーヤ１３がコンテンツの再生を開始するタイミングで、まず、ＢＤプレーヤ１３の制御コマンド処理部１３ｂは、プロジェクター１２に対して優先度確認コマンドを送信する。
【００８３】
プロジェクター１２の制御コマンド処理部１２ｃは、ＢＤプレーヤ１３から優先度確認コマンドを受信すると、その応答として、ＢＤプレーヤ１３に対して優先度通知コマンドを送信する。このとき、プロジェクター１２の電源状態はオフ状態であるので、優先度通知コマンドに付加するパラメータは、オフ状態のときの優先度を示す"３"である。
【００８４】
続いて、ＢＤプレーヤ１３の制御コマンド処理部１３ｂは、ＴＶ１１に対して優先度確認コマンドを送信する。
【００８５】
ＴＶ１１の制御コマンド処理部１１ｃは、ＢＤプレーヤ１３から優先度確認コマンドを受信すると、その応答として、ＢＤプレーヤ１３に対して優先度通知コマンドを送信する。このとき、ＴＶ１１の優先度は、電源状態がオン状態であるかオフ状態であるかに関わらず"２"であるので、優先度通知コマンドに付加するパラメータは、"２"である。
【００８６】
ＢＤプレーヤ１３の制御コマンド処理部１３ｂは、ＴＶ１１およびプロジェクター１２から受信したそれぞれの優先度通知コマンドに付加されているパラメータ（優先度）を比較し、より優先度が高い表示装置であるＴＶ１１に対してワンタッチプレイを実施することを決定する。
【００８７】
なお、ＢＤプレーヤ１３からＴＶ１１に対するワンタッチプレイ動作は、図１３を用いて説明した従来例と同様であるので、ここでは説明を省略する。
【００８８】
このようにすることにより、ユーザは、プロジェクター１２の電源状態をオフ状態にしておくことで、ＢＤプレーヤ１３が再生するコンテンツを、常に自動的にＴＶ１１で視聴することができる。
【００８９】
以上のように、ユーザは、ＢＤプレーヤ１３がコンテンツの再生を開始したときに、常に視聴したい表示装置に対して、ワンタッチプレイを実施することができる。
【００９０】
次に、図５を用いて、本発明の実施の形態１におけるＡＶネットワークシステムにおいて、プロジェクター１２でコンテンツを視聴中に、プロジェクター１２の電源状態がオフ状態にされた場合の動作を説明する。なお、図５は、本発明の実施の形態１におけるＡＶネットワークシステムを構成するプロジェクター１２でコンテンツを視聴中に、プロジェクター１２の電源状態がオフ状態にされた場合の動作シーケンスを示す図である。
【００９１】
図５において、すでに、ＢＤプレーヤ１３とプロジェクター１２との間でＨＲＰのコネクションが確立しており、ＢＤプレーヤ１３からプロジェクター１２に対して映像音声データが送信されており、ユーザは、ＢＤプレーヤ１３から送信されてくる映像音声データ（コンテンツ）をプロジェクター１２にて視聴中の状態にあるものとする。
【００９２】
このような状態において、プロジェクター１２の制御コマンド処理部１２ｃは、自装置の電源状態がオフ状態にされると、まずＢＤプレーヤ１３との間のＨＲＰのコネクションを切断する。そしてその後、プロジェクター１２の制御コマンド処理部１２ｃは、ＢＤプレーヤ１３に対して電源状態がオフ状態になったことを示す電源状態通知コマンド"オフ"を送信する。
【００９３】
ＢＤプレーヤ１３の制御コマンド処理部１３ｂは、プロジェクター１２から電源状態がオフ状態になったことを示す電源状態通知コマンドを受信すると、上述したと同様のワンタッチプレイ動作を実施する。このとき、プロジェクター１２の電源状態はオフ状態であるため、この場合のワンタッチプレイ動作は、図４と同様の動作シーケンスとなる。
【００９４】
その結果、ＴＶ１１の電源状態がオフ状態であれば電源状態がオン状態になり、ＢＤプレーヤ１３で再生されていたコンテンツの映像音声データは、ＴＶ１１のコンテンツ表示部１１ｄに出力される。
【００９５】
すなわち、ＢＤプレーヤ１３の制御コマンド処理部１３ｂは、選択した表示装置の動作状態が変更したことを検出したタイミングで、再度、複数の表示装置それぞれの現在の動作状態に対応付けられた優先度を取得し、複数の表示装置のうち、最も高い優先度を保持している表示装置を選択しなおしている。
【００９６】
以上のように動作させることにより、プロジェクター１２の電源状態をオフ状態にしたときに、自動的にＴＶ１１の電源状態をオン状態にすることができるので、ＢＤプレーヤ１３が再生するコンテンツを、プロジェクター１２からＴＶ１１に自動的に切り替えて視聴することができる。
【００９７】
このとき、ＢＤプレーヤ１３の制御コマンド処理部１３ｂは、図５に示されるように、接続されている全ての表示装置（ＴＶ１１及びプロジェクター１２）に対して、優先度確認コマンドを送信して優先度を取得しなおしてもよい。初回選択時の処理（図２及び図３）と、再選択時の処理（図５）とを共通化することができる。
【００９８】
しかしながら、プロジェクター１２でコンテンツを視聴していたユーザがプロジェクター１２の電源状態をオフ状態にする場合とは、プロジェクター１２でのコンテンツの視聴を中止して、ＴＶ１１でコンテンツをしたい場合であると考えることもできる。
【００９９】
そこで、図５の処理に代えて、直前に選択されていたプロジェクター１２を除く他の表示装置に対して優先度確認コマンドを送信してもよい。そして、この応答として受信した優先度通知コマンドに付加されているパラメータ（優先度）を比較し、最も高い優先度を保持している表示装置を選択してもよい。または、優先度確認コマンドを送信する処理は全ての表示装置に対して行い、優先度を比較する処理において、直前に選択されていた表示装置を除外するようにしてもよい。
【０１００】
なお、図５に示す実施の形態においては、プロジェクター１２が、ＢＤプレーヤ１３に対して、電源状態がオフ状態になったことを示す電源状態通知コマンドを送信する場合を例に挙げたが、これに限るものではなく、例えば、プロジェクター１２が、ＢＤプレーヤ１３に対して、ＢＤプレーヤ１３に再度ワンタッチプレイ動作を実施させる電源状態通知コマンドとは異なる制御コマンドを送信するようにしても構わない。
【０１０１】
また、本発明の実施の形態１におけるＡＶネットワークシステムにおいて、ＴＶ１１、プロジェクター１２およびＢＤプレーヤ１３の接続形態や優先度の設定は一例であり、これらに限定されるものではない。
【０１０２】
また、図２に示す各表示装置の優先度の設定は、すでに説明したように一例に過ぎない。すなわち、ユーザは、プロジェクター１２の電源状態がオン状態のときはプロジェクター１２を、プロジェクター１２の電源状態がオフ状態のときはＴＶ１１を、それぞれ使用するものと想定して設定したものである。すなわち、別の使用ケースを想定する場合には、異なる優先度の設定を行ってもよい。例えば、プロジェクター１２が無線通信ネットワーク上に存在する場合は、プロジェクター１２の電源状態がオン状態であるかオフ状態であるかにかかわらずプロジェクター１２で視聴することを所望する場合には、プロジェクター１２の優先度を、電源状態にかかわらず常に"１"を設定しておけばよい。
【０１０３】
また、本発明の実施の形態１においては、優先度は、電源状態がオン状態であるかオフ状態であるかに対応して設定したが、電源状態以外の条件に対応した優先度を設定するようにしても構わない。具体的には、表示装置がＢＤプレーヤ１３以外の他の再生装置と通信を行っている（ＨＲＰのコネクションが確立されている）か否かに対応付けて優先度を設定しても良い。この場合、表示装置が他の再生装置と通信を行っていない場合の優先度を、他の再生装置と通信を行っている場合の優先度より高く設定するのが望ましい。
【０１０４】
また、本発明の実施の形態１においては、ＢＤプレーヤ１３は、まず、プロジェクター１２に対して優先度確認コマンドを送ったが、優先度確認コマンドを送る順序はこれに限るものではなく、ＴＶ１１に対して先に送っても構わない。
【０１０５】
また、本発明の実施の形態１においては、再生装置であるＢＤプレーヤ１３は、表示装置であるＴＶ１１およびプロジェクター１２から、優先度確認コマンドに対応する優先度通知コマンドをすべて受信できる場合を例に挙げて説明したが、これに限るものではない。例えば、ＢＤプレーヤ１３は、ある表示装置（ここでは、ＴＶ１１とする）に対して優先度確認コマンドを送信した後、ＴＶ１１から所定の時間内に優先度通知コマンドを受信できない場合は、ＴＶ１１を無視して次の動作に移行するように構成しても構わない。但し、この場合、ＢＤプレーヤ１３は、ＴＶ１１以外の表示装置から受信した優先度通知コマンドを基に、最も優先度の高い表示装置を判定して選択することになる。
【０１０６】
また、本発明の実施の形態１においては、ＢＤプレーヤ１３は、ワンタッチプレイを実施することを決定した表示装置（ＴＶ１１もしくはプロジェクター１２）に対して、当該表示装置の電源状態がオン状態であるかオフ状態であるかにかかわらず、電源オン要求コマンドを送信した。しかしながら、電源オン要求コマンドを送信する前に、当該表示装置の電源状態を確認し、当該表示装置の電源状態がオフ状態の場合のみ、電源オン要求コマンドを送信するようにしても構わない。
【０１０７】
すなわち、ＢＤプレーヤ１３の制御コマンド処理部１３ｂは、選択した表示装置に対して、現在の電源状態を確認するための電源状態確認コマンドを送信し、電源状態確認コマンドの応答として受信した電源状態通知コマンドに当該表示装置の現在の電源状態がオフ状態であることを示す値が設定されている場合にのみ、電源オン要求コマンドを送信するようにしてもよい。
【０１０８】
また、ＢＤプレーヤ１３は、ワンタッチプレイを実施することを決定した表示装置（ＴＶ１１もしくはプロジェクター１２）に対し、電源オン要求コマンドを送信した後に当該表示装置の電源状態を確認し、当該表示装置の電源状態がオン状態になるまで再生を開始せずに待機するようにしてもよい。この場合、当該表示装置の電源状態の確認は、例えば、数秒ごとに行うようにすればよい。
【０１０９】
すなわち、ＢＤプレーヤの制御コマンド処理部１３ｂは、選択した表示装置に対して、現在の電源状態を確認するための電源状態確認コマンドを送信し、電源状態確認コマンドの応答として受信した電源状態通知コマンドに当該表示装置の現在の電源状態がオン状態であることを示す値が設定されていることを確認した後に、コネクションを確立する処理を開始してもよい。
【０１１０】
また、本発明の実施の形態１においては、ＢＤプレーヤ１３は、ワンタッチプレイを実施することを決定した表示装置に対して、映像音声データを出力するとしたが、映像データのみであっても構わない。
【０１１１】
また、本発明の実施の形態１においては、ＢＤプレーヤ１３は、所定のタイミングとして、コンテンツの再生を開始したタイミングを例に挙げて説明したが、このタイミングに限るものではなく、例えば、ＢＤプレーヤ５３の電源状態がオン状態になったタイミング、または、再生するコンテンツをユーザに選択させるためのメニューを表示したタイミングでワンタッチプレイ動作を実施するようにしても構わない。
【０１１２】
また、本発明の実施の形態１においては、再生装置としてＢＤプレーヤ１３が１つの場合を例に挙げて説明したが、これに限るものではなく、例えば、ＢＤレコーダやＳＴＢなどであっても構わないし、また、１つではなく複数存在しても構わない。
【０１１３】
また、本発明の実施の形態１においては、表示装置としてＴＶ１１およびプロジェクター１２の２つの表示装置が存在する場合を例に挙げて説明したが、これに限るものではなく、他の表示装置であっても構わないし、同じ種類の表示装置が複数存在するような状態であっても構わないし、３つ以上の表示装置が存在するような状態であっても構わない。
【０１１４】
また、本発明の実施の形態１においては、ＢＤプレーヤ１３とＴＶ１１およびプロジェクター１２とは、無線通信ネットワークを用いて映像データや制御コマンドの伝送を行う場合、すなわち、通信部１１ａ、１２ａ、１３ａが無線通信インタフェースである場合を例に挙げて説明したが、これに限るものではなく、他の通信ネットワーク（他の形式の無線通信ネットワーク、又は優先通信ネットワーク等）、すなわち、他のインタフェースを用いても構わない。
【０１１５】
（実施の形態２）
図６〜図８を用いて、本発明の実施の形態２に係るＡＶネットワークシステムの構成、及びワンタッチプレイ動作について説明する。なお、図６は、本発明の実施の形態２に係る表示装置および再生装置を備えるＡＶネットワークシステムの構成の一例を示す図である。また、図７は、本発明の実施の形態２に係る表示装置であるプロジェクターの電源状態がオン状態のときの、本発明の実施の形態２に係る再生装置であるＢＤプレーヤからのワンタッチプレイ動作のシーケンスを示す図である。また、図８は、本発明の実施の形態２に係る表示装置であるプロジェクターの電源状態がオフ状態のときの、本発明の実施の形態２に係る再生装置であるＢＤプレーヤからのワンタッチプレイ動作のシーケンスを示す図である。
【０１１６】
図６において、ＡＶネットワークシステムは、再生装置であるＢＤプレーヤ５３と、ＢＤプレーヤ５３とはそれぞれ無線通信ネットワークで接続されている表示装置であるＴＶ５１およびプロジェクター５２とで構成されている。
【０１１７】
表示装置であるＴＶ５１およびプロジェクター５２は、本発明の実施の形態１におけるＴＶ１１およびプロジェクター１２と同様の通信部１１ａ、１２ａ、優先度保持部１１ｂ、１２ｂ、制御コマンド処理部１１ｃ、１２ｃ、及びコンテンツ表示部１１ｄ、１２ｄを備える。また、再生装置であるＢＤプレーヤ５３は、本発明の実施の形態１におけるＢＤプレーヤ１３と同様の通信部１３ａ、制御コマンド処理部１３ｂ、及びコンテンツ送信部１３ｃを備える。以下に、本発明の実施の形態２におけるワンタッチプレイの処理動作について、実施の形態１との相違点を中心に説明する。
【０１１８】
表示装置であるＴＶ５１およびプロジェクター５２は、無線通信ネットワークを介して、再生装置であるＢＤプレーヤ５３から映像データまたは映像音声データを受信するとともに、ＢＤプレーヤ５３との間で制御コマンドの送受信を行うことができる。また、ＢＤプレーヤ５３との間でコネクションを確立している場合は、受信している映像データまたは映像音声データを表示することができる。さらに、ＢＤプレーヤ５３と無線通信ネットワークで接続されている全ての表示装置を対象に割り振られた表示優先度（以下、優先度と称す）に関する情報の内、自装置の優先度に関する情報として、自装置の電源状態がオン状態であるかオフ状態であるかを表す電源状態と、自装置の電源状態に関連付けられた優先度とを組み合わせた優先度一覧を保持している。
【０１１９】
そして、ＴＶ５１およびプロジェクター５２は、ＢＤプレーヤ５３から優先度一覧取得コマンドを受信した場合は、優先度一覧に関する情報をパラメータとして付加した優先度一覧通知コマンドを、電源状態確認コマンドを受信した場合は、現時点の電源状態をパラメータとして付加した電源状態通知コマンドを、それらの送信元である再生装置（ここでは、ＢＤプレーヤ５３）に送信する。さらに、ＢＤプレーヤ５３から電源オン要求コマンドを受信した場合は、自装置の電源状態をオン状態にする。
【０１２０】
すなわち、実施の形態２に係る制御コマンド処理部１１ｃ、１２ｃは、優先度保持部１１ｂ、１２ｂに保持されている全ての優先度を、優先度一覧としてＢＤプレーヤ５３に通知する点で、実施の形態１と相違する。
【０１２１】
一方、再生装置であるＢＤプレーヤ５３は、無線通信ネットワークを介して、表示装置であるＴＶ５１およびプロジェクター５２に対して映像データまたは映像音声データを送信するとともに、ＴＶ５１およびプロジェクター５２との間でそれぞれ制御コマンドの送受信を行うことができる。また、ＢＤプレーヤ５３は、ＴＶ５１およびプロジェクター５２に対して、優先度一覧取得コマンド、電源状態確認コマンドおよび電源オン要求コマンドを送信するとともに、ＴＶ５１およびプロジェクター５２から優先度一覧通知コマンドおよび電源状態通知コマンドを受信し、優先度一覧を保管することができる。
【０１２２】
そして、ＢＤプレーヤ５３は、ＴＶ５１およびプロジェクター５２から受信した優先度一覧通知コマンドおよび電源状態通知コマンドを基に、最も優先度の高い表示装置（ここでは、ＴＶ５１もしくはプロジェクター５２）を判定し選択する。
【０１２３】
すなわち、実施の形態２に係る制御コマンド処理部１３ｂは、ＴＶ５１及びプロジェクター５２から取得した優先度一覧から、取得した電源状態に対応する優先度を抽出する。そして、抽出した優先度を比較し、最も高い優先度を保持している表示装置を選択する点で、実施の形態１と相違する。
【０１２４】
以上のように構成されたＡＶネットワークシステムにおいて、ＢＤプレーヤ５３の制御コマンド処理部１３ｂは、所定のタイミングで、全ての表示装置（ここでは、ＴＶ５１およびプロジェクター５２）に対して優先度一覧取得コマンドおよび電源状態確認コマンドを通信部１３ａを通じて順次送信し、全ての再生装置から優先度一覧通知コマンドおよび電源状態通知コマンドを通信部１３ａを通じて受信する。そして、制御コマンド処理部１３ｂは、受信した優先度一覧通知コマンドおよび電源状態通知コマンドを基に、最も優先度の高い表示装置（ここでは、ＴＶ５１もしくはプロジェクター５２）を判定して選択する。さらに、制御コマンド処理部１３ｂは、選択した表示装置に対して、電源オン要求コマンドを送信し、表示装置との間でＨＲＰのコネクションを確立する処理を実行することで、ワンタッチプレイを実現する。
【０１２５】
以下に、ＴＶ５１およびプロジェクター５２に割り振られた具体的な優先度に基づくワンタッチプレイ動作について説明する。
【０１２６】
ＴＶ５１およびプロジェクター５２は、それぞれ優先度保持部１１ｂ、１２ｂに電源状態がオン状態の場合と、オフ状態の場合とにそれぞれ対応するワンタッチプレイの優先度を示す値を保持している。優先度を示す値は、小さい数値ほど高い優先度を示すものとする。
【０１２７】
図６に示すように、ＴＶ５１が保持する優先度は、電源状態がオン状態であるかオフ状態であるかの如何にかかわらず、いずれも"２"である。また、プロジェクター５２が保持する優先度は、電源状態がオン状態の場合が"１"、電源状態がオフ状態の場合が"３"であるとする。なお、上記のように、動作状態（電源状態）と、動作状態に対応付けられた優先度との全ての組み合わせを含む情報を優先度一覧と称する。
【０１２８】
これらの優先度の設定は、プロジェクター５２の電源状態がオン状態のときは、ユーザはプロジェクター５２でコンテンツを視聴しようとしているとみなし、プロジェクター５２の電源状態がオフ状態のときは、ユーザはＴＶ５１でコンテンツを視聴しようとしているとみなして設定したものである。
【０１２９】
次に、図７を用いて、プロジェクター５２の電源状態がオン状態のときの、ＢＤプレーヤ５３からのワンタッチプレイ動作について説明する。
【０１３０】
まず、例えば、ＢＤプレーヤ５３の電源状態がオン状態になったタイミングで、ＢＤプレーヤ５３の制御コマンド処理部１３ｂが各表示装置の優先度一覧を取得する動作について説明する。
【０１３１】
図７において、ＢＤプレーヤ５３の制御コマンド処理部１３ｂは、電源状態がオン状態にされると、プロジェクター５２に対して優先度一覧取得コマンドを送信する。
【０１３２】
プロジェクター５２の制御コマンド処理部１２ｃは、ＢＤプレーヤ５３から優先度一覧取得コマンドを受信すると、その応答として、ＢＤプレーヤ５３に対して優先度一覧を付加した優先度一覧通知コマンドを送信する。
【０１３３】
続いて、ＢＤプレーヤ５３の制御コマンド処理部１３ｂは、ＴＶ５１に対して優先度一覧取得コマンドを送信する。ＴＶ５１の制御コマンド処理部１１ｃは、ＢＤプレーヤ５３から優先度一覧取得コマンドを受信すると、その応答として、ＢＤプレーヤ５３に対して優先度一覧を付加した優先度一覧通知コマンドを送信する。
【０１３４】
ＢＤプレーヤ５３の制御コマンド処理部１３ｂは、優先度一覧取得コマンドに対応して、それぞれプロジェクター５２およびＴＶ５１から送信された優先度一覧を受信し、受信した優先度一覧をメモリ（図示せず）に保存する。
【０１３５】
続いて、ＢＤプレーヤ５３がコンテンツの再生を開始したときに、プロジェクター５２の初期の電源状態がオン状態のときのワンタッチプレイ動作を説明する。
【０１３６】
ＢＤプレーヤ５３の制御コマンド処理部１３ｂは、ＢＤプレーヤ５３がコンテンツの再生を開始すると、まず、プロジェクター５２に対して電源状態確認コマンドを送信する。
【０１３７】
プロジェクター５２の制御コマンド処理部１２ｃは、ＢＤプレーヤ５３から電源状態確認コマンドを受信すると、その応答として、ＢＤプレーヤ５３に対して電源状態がオン状態であることを示す電源状態通知コマンドを送信する。
【０１３８】
続いて、ＢＤプレーヤ５３の制御コマンド処理部１３ｂは、ＴＶ５１に対して、電源状態確認コマンドを送信する。ＴＶ５１の制御コマンド処理部１１ｃは、ＢＤプレーヤ５３から電源状態確認コマンドを受信すると、その応答として、ＢＤプレーヤに対して電源状態がオフ状態であることを示す電源状態通知コマンドを送信する。
【０１３９】
ＢＤプレーヤ５３の制御コマンド処理部１３ｂは、メモリ（図示せず）に保存しておいたＴＶ５１およびプロジェクター５２のそれぞれの優先度一覧を参照し、ＴＶ５１およびプロジェクター５２における現在の電源状態に対応したそれぞれの優先度を比較し、最も優先度が高い表示装置であるプロジェクター５２に対して、ワンタッチプレイを実施することを決定する。
【０１４０】
なお、ＢＤプレーヤ５３からプロジェクター５２に対するワンタッチプレイ動作は、図１５を用いて説明した従来例と同様であるので、ここでは説明を省略する。
【０１４１】
このようにすることにより、ユーザは、プロジェクター５２の電源状態をオン状態にしておくことで、ＢＤプレーヤ５３が再生するコンテンツを、常にプロジェクター５２で自動的に視聴することができる。
【０１４２】
次に、図８を用いて、プロジェクター５２の電源状態がオフ状態のときの、ＢＤプレーヤ５３からのワンタッチプレイ動作について説明する。
【０１４３】
図８において、ＢＤプレーヤ５３の電源状態がオン状態にされてから、プロジェクター５２およびＴＶ５１からそれぞれ優先度一覧を取得して保存するまでの動作は、図７を用いて説明したプロジェクター５２の電源状態がオン状態のときと同じであるので説明を省略し、ＢＤプレーヤ５３がコンテンツの再生を開始するところから説明を始めることとする。
【０１４４】
ＢＤプレーヤ５３がコンテンツの再生を開始すると、図７に示す動作と同様に、まず、ＢＤプレーヤ５３の制御コマンド処理部１３ｂは、プロジェクター５２に対して、電源状態確認コマンドを送信する。
【０１４５】
プロジェクター５２の制御コマンド処理部１２ｃは、ＢＤプレーヤ５３から電源状態確認コマンドを受信すると、その応答として、ＢＤプレーヤ５３に対して電源状態がオフ状態であることを示す電源状態通知コマンドを送信する。
【０１４６】
続いて、ＢＤプレーヤ５３の制御コマンド処理部１３ｂは、ＴＶ５１に対して、電源状態確認コマンドを送信する。ＴＶ５１の制御コマンド処理部１１ｃは、ＢＤプレーヤ５３から電源状態確認コマンドを受信すると、その応答として、ＢＤプレーヤ５３に対して電源状態がオフ状態であることを示す電源状態通知コマンドを送信する。
【０１４７】
ＢＤプレーヤ５３の制御コマンド処理部１３ｂは、メモリ（図示せず）に保存しておいたＴＶ５１およびプロジェクター５２のそれぞれの優先度一覧を参照し、ＴＶ５１およびプロジェクター５２それぞれの現在の電源状態に対応した優先度を比較し、最も優先度が高い表示装置であるＴＶ５１に対して、ワンタッチプレイを実施することを決定する。
【０１４８】
なお、ＢＤプレーヤ５３からＴＶ５１に対するワンタッチプレイ動作は、図１３を用いて説明した従来例と同様であるので、ここでは説明を省略する。
【０１４９】
このようにすることにより、ユーザは、プロジェクター５２の電源状態をオフ状態にしておくことで、ＢＤプレーヤ５３が再生するコンテンツを、常にＴＶ５１で自動的に視聴することができる。
【０１５０】
以上のように動作させることにより、ＢＤプレーヤ５３でコンテンツの再生を開始したときに、常にユーザが視聴したい表示装置に対して、自動的にワンタッチプレイを実施することができる。
【０１５１】
次に、図９を用いて、本発明の実施の形態２におけるＡＶネットワークシステムにおいて、プロジェクターでコンテンツを視聴中に、プロジェクターの電源状態がオフ状態にされた場合の動作を説明する。なお、図９は、本発明の実施の形態２におけるＡＶネットワークシステムを構成するプロジェクターでコンテンツを視聴中にプロジェクターの電源状態がオフ状態にされた場合の動作シーケンスを示す図である。
【０１５２】
図９において、すでに、ＢＤプレーヤ５３とプロジェクター５２との間でＨＲＰのコネクションが確立しており、ＢＤプレーヤ５３からプロジェクター５２に対して映像音声データが送信されており、ユーザは、ＢＤプレーヤ５３から送信されてくる映像音声データ（コンテンツ）をプロジェクター５２のコンテンツ表示部１２ｄにて視聴中の状態にあるものとする。
【０１５３】
このような状態において、プロジェクター５２の制御コマンド処理部１２ｃは、自装置の電源状態がオフ状態にされると、まずＢＤプレーヤ５３との間のＨＲＰのコネクションを切断する。その後、制御コマンド処理部１２ｃは、ＢＤプレーヤ５３に対して電源状態がオフ状態になったことを示す電源状態通知コマンド"オフ"を送信する。
【０１５４】
ＢＤプレーヤ５３の制御コマンド処理部１３ｂは、プロジェクター５２から電源状態がオフ状態になったことを示す電源状態通知コマンドを受信すると、上述したと同様のワンタッチプレイ動作を実施する。このとき、プロジェクター５２の電源状態はオフ状態であるため、この場合のワンタッチプレイ動作は、図８と同様の動作シーケンスとなる。
【０１５５】
ただし、この際、ＢＤプレーヤ５３の制御コマンド処理部１３ｂは、プロジェクター５２の電源状態がオフ状態であることを知っているので、プロジェクター５２に対して電源状態確認コマンドを送信しなくてもよい（勿論、送信してもよい）。
【０１５６】
その結果、ＴＶ５１の電源状態がオフ状態であれば、ＢＤプレーヤ５３からの電源オン要求コマンドによってオン状態になるので、ＢＤプレーヤ５３が再生するコンテンツの映像音声データは、ＴＶ５１の表示装置（図示せず）に出力される。
【０１５７】
以上のように動作させることにより、プロジェクター５２の電源状態をオフ状態にしたときに、自動的にＴＶ５１の電源状態をオン状態にすることができるので、ＢＤプレーヤ５３が再生するコンテンツを、プロジェクター５２からＴＶ５１に自動的に切り替えて視聴することができる。
【０１５８】
なお、図９に示す実施の形態においては、プロジェクター５２が、ＢＤプレーヤ５３に対して、電源状態がオフ状態になったことを示す電源状態通知コマンドを送信する場合を例に挙げたが、これに限るものではなく、例えば、プロジェクター５２が、ＢＤプレーヤ５３に対して、ＢＤプレーヤ５３に再度ワンタッチプレイ動作を実施させる電源状態通知コマンドとは異なる制御コマンドを送信するようにしても構わない。
【０１５９】
また、本発明の実施の形態２におけるＡＶネットワークシステムにおいて、ＴＶ５１、プロジェクター５２およびＢＤプレーヤ５３の接続形態や優先度の設定は一例であり、これらに限定されるものではない。
【０１６０】
また、図６に示す各表示装置の優先度の設定は、すでに説明したように一例に過ぎない。すなわち、ユーザは、プロジェクター５２の電源状態がオン状態のときはプロジェクター５２を、プロジェクター５２の電源状態がオフ状態のときはＴＶ５１を、それぞれ使用するものと想定して設定したものである。すなわち、別の使用ケースを想定する場合には、異なる優先度の設定を行ってもよい。例えば、プロジェクター５２が通信ネットワーク上に存在する場合は、プロジェクター５２の電源状態がオン状態であるかオフ状態であるかにかかわらずプロジェクター５２で視聴することを所望する場合には、プロジェクター５２の優先度を、電源状態にかかわらず常に"１"を設定しておけばよい。
【０１６１】
また、本発明の実施の形態２においては、優先度は、電源状態がオン状態であるかオフ状態であるかに対応して設定したが、電源状態以外の条件に対応した優先度を設定するようにしても構わない。ただしこの場合は、ＢＤプレーヤ５３は、コンテンツの再生開始時に、各表示装置の電源状態に関する情報だけでなく、優先度を特定するために必要な情報の取得を行うようにする必要がある。
【０１６２】
また、本発明の実施の形態２においては、ＢＤプレーヤ５３は、まず、プロジェクター５２に対して優先度一覧取得コマンドおよび電源状態確認コマンドを送ったが、優先度一覧取得コマンドおよび電源状態確認コマンドを送る順序はこれに限るものではなく、ＴＶ５１に対して先に送っても構わない。
【０１６３】
また、本発明の実施の形態２においては、再生装置であるＢＤプレーヤ５３は、表示装置であるＴＶ５１およびプロジェクター５２から、それぞれ送信した優先度一覧取得コマンドに対応する優先度一覧通知コマンド、あるいは、電源状態確認コマンドに対応する電源状態通知コマンドがすべて受信できる場合を例に挙げて説明したが、これに限るものではない。例えば、ＢＤプレーヤ５３は、ある表示装置（ここでは、ＴＶ５１とする）に対して優先度一覧取得コマンド、あるいは、電源状態確認コマンドを送信した後、ＴＶ５１から所定の時間内に優先度一覧通知コマンド、あるいは、電源状態通知コマンドを受信できない場合は、ＴＶ５１を無視して次の動作に移行するように構成しても構わない。但し、この場合、ＢＤプレーヤ５３は、ＴＶ５１以外の表示装置から受信した優先度一覧通知コマンドおよび電源状態通知コマンドを基に、最も優先度の高い表示装置を判定して選択することになる。
【０１６４】
また、本発明の実施の形態２においては、ＢＤプレーヤ５３は、ワンタッチプレイを実施することを決定した表示装置（ＴＶ５１もしくはプロジェクター５２）に対して、当該表示装置の電源状態がオン状態であるかオフ状態であるかにかかわらず電源オン要求コマンドを送信したが、電源オン要求コマンドを送信する前に、当該表示装置の電源状態を確認し、当該表示装置の電源状態がオフ状態の場合のみ、電源オン要求コマンドを送信するようにしても構わない。
【０１６５】
また、ＢＤプレーヤ５３は、ワンタッチプレイを実施することを決定した表示装置（ＴＶ５１もしくはプロジェクター５２）に対し、電源オン要求コマンドを送信した後に当該表示装置の電源状態を確認し、当該表示装置の電源状態がオン状態になるまでコンテンツの再生を開始せずに待機するようにしてもよい。この場合、当該表示装置の電源状態の確認は、例えば、数秒ごとに行うようにすればよい。
【０１６６】
また、本発明の実施の形態２においては、ＢＤプレーヤ５３は、ワンタッチプレイを実施することを決定した表示装置に対して、映像音声データを出力するとしたが、映像データのみであっても構わない。
【０１６７】
また、本発明の実施の形態２においては、ＢＤプレーヤ５３は、所定のタイミングとしてＢＤプレーヤ５３の電源状態がオン状態になったタイミングを例に挙げて説明したが、このタイミングに限るものではなく、例えば、ＢＤプレーヤ５３がコンテンツの再生を開始したタイミング、または、再生するコンテンツをユーザに選択させるためのメニューを表示したタイミングでワンタッチプレイ動作を実施するようにしても構わない。
【０１６８】
また、本発明の実施の形態２においては、再生装置としてＢＤプレーヤ５３が１つの場合を例に挙げて説明したが、これに限るものではなく、例えば、ＢＤレコーダやＳＴＢなどであっても構わないし、また、１つではなく複数存在しても構わない。
【０１６９】
また、本発明の実施の形態２においては、表示装置としてＴＶ５１およびプロジェクター５２の２つの表示装置が存在する場合を例に挙げて説明したが、これに限るものではなく、他の表示装置であっても構わないし、同じ種類の表示装置が複数存在するような状態であっても構わないし、３つ以上表示装置が存在するような状態であっても構わない。
【０１７０】
また、本発明の実施の形態２においては、ＢＤプレーヤ５３とＴＶ５１およびプロジェクター５２とは、無線通信ネットワークを用いて映像データや制御コマンドの伝送を行う場合、すなわち、通信部１１ａ、１２ａ、１３ａが無線通信インタフェースである場合を例に挙げて説明したが、これに限るものではなく、他の通信ネットワーク（他の形式の無線通信ネットワーク、又は優先通信ネットワーク等）、すなわち、他のインタフェースを用いても構わない。
【０１７１】
（その他変形例）
なお、本発明を上記実施の形態に基づいて説明してきたが、本発明は、上記の実施の形態に限定されないのはもちろんである。以下のような場合も本発明に含まれる。
【０１７２】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１７３】
上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶さている。マイクロプロセッサが、コンピュータプログラムにしたがって動作することにより、システムＬＳＩは、その機能を達成する。
【０１７４】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０１７５】
本発明は、上記に示す方法であるとしてもよい。また、これらの方法をコンピュータにより実現するコンピュータプログラムであるとしてもよいし、コンピュータプログラムからなるデジタル信号であるとしてもよい。
【０１７６】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０１７７】
また、本発明は、コンピュータプログラムまたはデジタル信号を、電気通信回線、無線または有線通信回線、インターネットを代表とするネットワーク、データ放送等を経由して伝送するものとしてもよい。
【０１７８】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【０１７９】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１８０】
上記実施の形態及び上記変形例をそれぞれ組み合わせてもよい。
【０１８１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０１８２】
本発明は、通信ネットワークで接続される再生装置と複数の表示装置とで構成されるホームシアターなどのＡＶネットワークシステムに適用することができる。
【符号の説明】
【０１８３】
１１，５１，９１，１１１  ＴＶ
１１ａ，１２ａ，１３ａ  通信部
１１ｂ，１２ｂ  優先度保持部
１１ｃ，１２ｃ，１３ｂ  制御コマンド処理部
１１ｄ，１２ｄ  コンテンツ表示部
１２，５２，１１４  プロジェクター
１３，５３，９２，１１２  ＢＤプレーヤ
１３ｃ  コンテンツ送信部
９３，１１３  ＳＴＢ
９４，９５  ＨＤＭＩケーブル
【手続補正２】
【補正対象書類名】特許請求の範囲
【補正対象項目名】全文
【補正方法】変更
【補正の内容】
【特許請求の範囲】
【請求項１】
通信ネットワークを介して接続されている複数の表示装置のうちのいずれかに対して、コンテンツを送信する再生装置であって、
前記複数の表示装置それぞれは、前記再生装置から受信したコンテンツを表示する優先順位であって、前記複数の表示装置のうちの該表示装置の優先順位を示す優先度を、当該表示装置の取り得る複数の動作状態のそれぞれに対応付けて、複数保持しており、
該再生装置は、
前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択部と、
前記選択部で選択された表示装置に対して、前記コンテンツを送信するコンテンツ送信部とを備える
再生装置。
【請求項２】
前記選択部は、選択した表示装置の動作状態が変更したことを検出したタイミングで、再度、前記複数の表示装置それぞれの現在の動作状態に対応付けられた優先度を取得し、前記複数の表示装置のうち、最も高い優先度を保持している表示装置を新たに選択する
請求項１に記載の再生装置。
【請求項３】
前記選択部は、直前に選択されていた表示装置を除く他の表示装置のうち、最も高い優先度を保持している表示装置を新たに選択する
請求項２に記載の再生装置。
【請求項４】
前記選択部は、さらに、選択した表示装置に対して、当該表示装置の電源状態をオン状態にするための電源オン要求コマンドを送信し、且つ当該表示装置との間でコネクションを確立する処理を実行し、
前記コンテンツ送信部は、確立したコネクションを通じて前記コンテンツを送信する
請求項１〜３のいずれか１項に記載の再生装置。
【請求項５】
前記選択部は、さらに、選択した表示装置に対して、現在の電源状態を確認するための電源状態確認コマンドを送信し、前記電源状態確認コマンドの応答として受信した電源状態通知コマンドに、当該表示装置の現在の電源状態がオフ状態であることを示す値が設定されている場合に、前記電源オン要求コマンドを送信する
請求項４に記載の再生装置。
【請求項６】
前記選択部は、さらに、選択した表示装置に対して、現在の電源状態を確認するための電源状態確認コマンドを送信し、前記電源状態確認コマンドの応答として受信した電源状態通知コマンドに、当該表示装置の現在の電源状態がオン状態であることを示す値が設定されていることを確認した後に、前記コネクションを確立する処理を開始する
請求項４又は５に記載の再生装置。
【請求項７】
前記選択部は、該再生装置の電源状態がオン状態となったタイミング、該再生装置で再生するコンテンツをユーザに選択させるタイミング、又は該再生装置が前記コンテンツの再生を開始したタイミングのいずれかで、前記複数の表示装置のうち、最も高い優先度を保持している表示装置を選択する処理を実行する
請求項１〜６のいずれか１項に記載の再生装置。
【請求項８】
前記通信ネットワークは、ＷｉｒｅｌｅｓｓＨＤ（Ｈｉｇｈ  Ｄｅｆｉｎｉｔｉｏｎ）であり、
前記選択部は、ＬＲＰ（Ｌｏｗ−Ｒａｔｅ  Ｐｈｙｓｉｃａｌ  ｌａｙｅｒ）を通じて前記優先度を取得し、
前記コンテンツ送信部は、ＨＲＰ（Ｈｉｇｈ−Ｒａｔｅ  Ｐｈｙｓｉｃａｌ  ｌａｙｅｒ）を通じてコンテンツを送信する
請求項１〜７のいずれか１項に記載の再生装置。
【請求項９】
前記複数の表示装置それぞれは、当該表示装置の取り得る複数の動作状態のそれぞれに対応付けて、複数の優先度を保持しており、
前記選択部は、前記複数の表示装置それぞれから、当該表示装置が保持している前記複数の優先度と、当該表示装置の現在の動作状態とを取得し、取得した前記複数の表示装置のうち、現在の動作状態に対応付けられた優先度が最も高い表示装置を選択する
請求項１に記載の再生装置。
【請求項１０】
通信ネットワークを介して再生装置に接続されている複数の表示装置のうちの一の表示装置であって、前記再生装置から受信したコンテンツを表示する表示装置であって、
前記再生装置から受信したコンテンツを表示する優先順位であって、前記複数の表示装置のうちの該表示装置の優先順位を示す優先度を、当該表示装置の取り得る複数の動作状態のそれぞれに対応付けて、複数保持する優先度保持部と、
前記再生装置からの要求に応じて、前記優先度保持部に保持されている複数の優先度のうち、当該表示装置の現在の動作状態に対応付けられた優先度のみを、前記通信ネットワークを通じて前記再生装置に通知する通知部と、
前記再生装置から受信したコンテンツを表示する表示部とを備える
表示装置。
【請求項１１】
前記優先度保持部は、該表示装置の複数の電源状態それぞれに対応付けられた複数の優先度を保持しており、
オン状態に対応付けられる優先度は、オフ状態に対応付けられる優先度より高い
請求項１０に記載の表示装置。
【請求項１２】
再生装置と、通信ネットワークを介して前記再生装置に接続されている複数の表示装置とを備え、前記再生装置から前記通信ネットワークを通じて送信されたコンテンツを前記複数の表示装置のうちのいずれかで表示するＡＶネットワークシステムであって、
前記表示装置は、
前記再生装置から受信したコンテンツを表示する優先順位であって、前記複数の表示装置のうちの該表示装置の優先順位を示す優先度を、当該表示装置の取り得る複数の動作状態のそれぞれに対応付けて、複数保持する優先度保持部と、
前記再生装置からの要求に応じて、前記優先度保持部に保持されている複数の優先度のうち、当該表示装置の現在の動作状態に対応付けられた優先度のみを、前記通信ネットワークを通じて前記再生装置に通知する通知部と、
前記再生装置から受信したコンテンツを表示する表示部とを備え、
前記再生装置は、
前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択部と、
前記選択部で選択された表示装置に対して、前記コンテンツを送信するコンテンツ再生部とを備える
ＡＶネットワークシステム。
【請求項１３】
通信ネットワークを介して接続されている複数の表示装置のうちのいずれかに対して、コンテンツを送信する再生方法であって、
前記複数の表示装置それぞれは、受信したコンテンツを表示する優先順位であって、前記複数の表示装置のうちの該表示装置の優先順位を示す優先度を、当該表示装置の取り得る複数の動作状態のそれぞれに対応付けて、複数保持しており、
該再生方法は、
前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択ステップと、
前記選択ステップで選択された表示装置に対して、前記コンテンツを送信するコンテンツ送信ステップとを含む
再生方法。
【請求項１４】
コンピュータに、通信ネットワークを介して接続されている複数の表示装置のうちのいずれかに対して、コンテンツを送信させるプログラムであって、
前記複数の表示装置それぞれは、受信したコンテンツを表示する優先順位であって、前記複数の表示装置のうちの該表示装置の優先順位を示す優先度を、当該表示装置の取り得る複数の動作状態のそれぞれに対応付けて、複数保持しており、
該プログラムは、
前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択ステップと、
前記選択ステップで選択された表示装置に対して、前記コンテンツを送信するコンテンツ送信ステップとを、コンピュータに実行させる
プログラム。
【請求項１５】
通信ネットワークを介して接続されている複数の表示装置のうちのいずれかに対して、コンテンツを送信する集積回路であって、
前記複数の表示装置それぞれは、受信したコンテンツを表示する優先順位であって、前記複数の表示装置のうちの該表示装置の優先順位を示す優先度を、当該表示装置の取り得る複数の動作状態のそれぞれに対応付けて、複数保持しており、
該集積回路は、
前記複数の表示装置それぞれの現在の動作状態に対応付けられた優先度のみを、前記通信ネットワークを通じて前記複数の表示装置それぞれから取得し、前記複数の表示装置のうち、最も高い優先度を保持している表示装置を選択する選択部と、
前記選択部で選択された表示装置に対して、前記コンテンツを送信するコンテンツ送信部とを備える
集積回路。 
【手続補正３】
【補正対象書類名】図面
【補正対象項目名】全図
【補正方法】変更
【補正の内容】
【図１】
2011070720.tif 000018
【図２】
2011070720.tif 000019
【図３】
2011070720.tif 000020
【図４】
2011070720.tif 000021
【図５】
2011070720.tif 000022
【図６】
2011070720.tif 000023
【図７】
2011070720.tif 000024
【図８】
2011070720.tif 000025
【図９】
2011070720.tif 000026
【図１０】
2011070720.tif 000027
【図１１】
2011070720.tif 000028
【図１２】
2011070720.tif 000029
【図１３】
2011070720.tif 000030
【図１４】
2011070720.tif 000031
【図１５】
2011070720.tif 000032
【国際調査報告】
2011070720.tif 000033
2011070720.tif 000034